(57)【要約】  ＵＥが、第１の時間において、プライマリコンポーネントキャリア（ＰＣＣ）を介した第１のネットワークノードとの通信およびセカンダリＣＣ（ＳＣＣ）を介した第２のネットワークノードとの通信のために構成された、キャリアアグリゲーション（ＣＡ）を用いた通信環境を開示する。第２の時間において、ＵＥは、第２の時間におけるＳＣＣを介した第３のネットワークノードとの通信のために構成される。ＵＥは、第３のネットワークノードとの通信を確立する間、ＵＥにおいてハンドオーバをトリガすることなしにＰＣＣを介した第１のネットワークノードとの通信を維持する。
2015517276.tif 000002
【特許請求の範囲】
【請求項１】
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することと、
前記ＵＥによって、第２の時間において前記ＳＣＣを介した第３のネットワークノードとの通信を確立することと、
前記第３のネットワークノードとの通信を確立する間、前記ＵＥにおいてハンドオーバをトリガすることなしに前記ＰＣＣを介した前記第１のネットワークノードとの通信を維持することと
を備える、ワイヤレス通信のための方法。
【請求項２】
前記第２のネットワークノードのカバレージエリアを出た後、前記ＳＣＣを介した前記第２のネットワークノードとの通信を非アクティブ化することであって、前記非アクティブ化することは前記ＵＥにおいてハンドオーバをトリガしない、非アクティブ化すること
をさらに備える、請求項１に記載の方法。
【請求項３】
前記第１の時間において少なくとも１つの追加のＳＣＣを介して前記ＵＥによって少なくとも１つの追加のネットワークノードと通信すること
をさらに備える、請求項１に記載の方法。
【請求項４】
前記少なくとも１つの追加のネットワークノードの各々が、前記第１の時間中に前記ＵＥの構成に追加されるか、または前記ＵＥの構成から除去される、請求項３に記載の方法。
【請求項５】
前記ＰＣＣおよびＳＣＣ上でのデータ送信についての少なくとも１つの許可を受信すること
をさらに備える、請求項１に記載の方法。
【請求項６】
前記ＰＣＣおよびＳＣＣ上での前記ＵＥのためのデータ送信のスケジューリングが集中型である、請求項５に記載の方法。
【請求項７】
前記ＰＣＣが前記ＵＥのための指定された制御情報を搬送し、前記ＳＣＣが前記ＵＥのためのデータを搬送する、請求項１に記載の方法。
【請求項８】
前記ＰＣＣおよび前記ＳＣＣが前記ＵＥのために独立して構成される、請求項１に記載の方法。
【請求項９】
前記第２のネットワークノードがアクセスポイントを備え、前記ＳＣＣが無認可帯域内にある、請求項１に記載の方法。
【請求項１０】
前記第２のネットワークノードがリレーを備える、請求項１に記載の方法。
【請求項１１】
前記第１のネットワークノードと前記通信することが、前記ＰＣＣを介して前記第１のネットワークノードにデータを送ることと、前記ＰＣＣを介して前記第１のネットワークノードからデータを受信することとを含み、前記第２のネットワークノードと前記通信することが、前記ＳＣＣを介して前記第２のネットワークノードにデータを送ることと、前記ＳＣＣを介して前記第２のネットワークノードからデータを受信することとを含む、請求項１に記載の方法。
【請求項１２】
前記第１のネットワークノードと前記通信することが、前記ＰＣＣを介して前記第１のネットワークノードにデータを送ることと、前記ＰＣＣを介して前記第１のネットワークノードからデータを受信することとを含み、前記第２のネットワークノードと前記通信することが、前記ＳＣＣを介して前記第２のネットワークノードからデータを受信することのみを含む、請求項１に記載の方法。
【請求項１３】
前記ＰＣＣがトラフィックデータを搬送し、前記ＳＣＣが前記ＵＥのためのブロードキャストデータを搬送する、請求項１に記載の方法。
【請求項１４】
データが、前記ＰＣＣ上でハイブリッド自動再送信（ＨＡＲＱ）を用いて送られ、前記ＳＣＣ上でＨＡＲＱを用いずに送られる、請求項１に記載の方法。
【請求項１５】
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第３のネットワークノードとの通信のために前記ＵＥを前記構成する間、前記ＰＣＣを介した前記第１のネットワークノードとの通信を維持するように前記ＵＥを構成することであって、前記ＵＥが前記ＰＣＣを介して前記第１のネットワークノードと通信している間、前記ＵＥについてハンドオーバが実行されない、前記ＵＥを構成することと
を備える、ワイヤレス通信のための方法。
【請求項１６】
前記第１の時間における少なくとも１つの他のネットワークノードとの通信のために別のＳＣＣを用いて前記ＵＥを構成すること
をさらに備える、請求項１５に記載の方法。
【請求項１７】
前記ＰＣＣが前記ＵＥのために構成されるとき、第１の時間期間中に前記ＵＥの構成に前記ＳＣＣを追加するか、または前記ＵＥの構成から前記ＳＣＣを除去すること
をさらに備える、請求項１５に記載の方法。
【請求項１８】
前記ＰＣＣおよび前記ＳＣＣ上でのデータ送信についての許可を前記ＵＥに送ること
をさらに備える、請求項１５に記載の方法。
【請求項１９】
前記ＰＣＣ上でのデータ送信についての第１の許可を前記ＵＥに送ることと、
前記ＳＣＣ上でのデータ送信についての第２の許可を前記ＵＥに送ることと
をさらに備える、請求項１５に記載の方法。
【請求項２０】
集中型スケジューリングを用いて前記ＵＥのために前記ＰＣＣおよび前記ＳＣＣ上でのデータ送信をスケジュールすること
をさらに備える、請求項１５に記載の方法。
【請求項２１】
分散型スケジューリングを用いて前記ＵＥのために前記ＰＣＣおよび前記ＳＣＣ上でのデータ送信をスケジュールすること
をさらに備える、請求項１５に記載の方法。
【請求項２２】
前記ＰＣＣが前記ＵＥのための指定された制御情報を搬送し、前記ＳＣＣが前記ＵＥのためのデータを搬送する、請求項１５に記載の方法。
【請求項２３】
前記ＰＣＣが前記ＵＥのための第１のタイプのデータを搬送し、前記ＳＣＣが前記ＵＥのための第２のタイプのデータを搬送する、請求項１５に記載の方法。
【請求項２４】
前記ＰＣＣおよび前記ＳＣＣが前記ＵＥのために独立して構成される、請求項１５に記載の方法。
【請求項２５】
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項１５に記載の方法。
【請求項２６】
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、請求項１５に記載の方法。
【請求項２７】
前記ＰＣＣがトラフィックデータを搬送し、前記ＳＣＣが前記ＵＥのためのブロードキャストデータを搬送する、請求項１５に記載の方法。
【請求項２８】
データが、前記ＰＣＣ上でハイブリッド自動再送信（ＨＡＲＱ）を用いて送られ、前記ＳＣＣ上でＨＡＲＱを用いずに送られる、請求項１５に記載の方法。
【請求項２９】
前記第２のネットワークノードがリレーを備える、請求項１５に記載の方法。
【請求項３０】
プライマリコンポーネントキャリア（ＰＣＣ）上でユーザ機器（ＵＥ）から第１のネットワークノードに送られた第１のアップリンク送信についての第１のシンボル推定値を取得することと、
前記第１のアップリンク送信を受信する第２のネットワークノードから前記第１のアップリンク送信についての第２のシンボル推定値を取得することであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することと、
前記第１のアップリンク送信についての第１の合成シンボル推定値を取得するために前記第１のシンボル推定値と前記第２のシンボル推定値とを合成することと、
前記ＵＥによって前記第１のアップリンク送信において送られたデータを復元するために前記第１の合成シンボル推定値を復号することと
を備える、ワイヤレス通信のための方法。
【請求項３１】
前記ＳＣＣ上で前記ＵＥから前記第２のネットワークノードに送られ、前記第１のネットワークノードによって受信された第２のアップリンク送信についての第３のシンボル推定値を取得することと、
前記第２のネットワークノードから前記第２のアップリンク送信についての第４のシンボル推定値を取得することと、
前記第２のアップリンク送信についての第２の合成シンボル推定値を取得するために前記第３のシンボル推定値と前記第４のシンボル推定値とを合成することと、
前記ＵＥによる前記第２のアップリンク送信におけるデータを復元するために前記第２の合成シンボル推定値を復号することと
をさらに備える、請求項３０に記載の方法。
【請求項３２】
前記第１のアップリンク送信についての前記ＵＥの第１の送信タイミングを調整することと、
前記第２のアップリンク送信についての前記ＵＥの第２の送信タイミングを調整することと
をさらに備える、請求項３０に記載の方法。
【請求項３３】
前記ＵＥの前記第１の送信タイミングおよび前記第２の送信タイミングが、前記ＵＥからのアップリンク送信についてのソフト合成の復号パフォーマンスを改善するように調整される、請求項３２に記載の方法。
【請求項３４】
前記第１のネットワークノードが前記ＵＥのサービングセルを備え、前記第２のネットワークノードがリレーを備える、請求項３０に記載の方法。
【請求項３５】
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信するための手段と、
前記ＵＥによって、第２の時間において前記ＳＣＣを介した第３のネットワークノードとの通信を確立するための手段と、
前記第３のネットワークノードとの通信を確立するための前記手段の間、前記ＵＥにおいてハンドオーバをトリガすることなしに前記ＰＣＣを介した前記第１のネットワークノードとの通信を維持するための手段と
を備える、ワイヤレス通信のための装置。
【請求項３６】
前記第２のネットワークノードのカバレージエリアを出た後、前記ＳＣＣを介した前記第２のネットワークノードとの通信を非アクティブ化するための手段であって、前記非アクティブ化するための手段は前記ＵＥにおいてハンドオーバをトリガしない、非アクティブ化するための手段
をさらに備える、請求項３５に記載の装置。
【請求項３７】
前記ＵＥによって、前記第１の時間において少なくとも１つの追加のＳＣＣを介して少なくとも１つの追加のネットワークノードと通信するための手段
をさらに備える、請求項３５に記載の装置。
【請求項３８】
前記少なくとも１つの追加のネットワークノードの各々が、前記第１の時間中に前記ＵＥの構成に追加されるか、または前記ＵＥの構成から除去される、請求項３７に記載の装置。
【請求項３９】
前記ＰＣＣおよびＳＣＣ上でのデータ送信についての少なくとも１つの許可を受信するための手段
をさらに備える、請求項３５に記載の装置。
【請求項４０】
前記ＰＣＣおよびＳＣＣ上での前記ＵＥのためのデータ送信のスケジューリングが集中型である、請求項３９に記載の装置。
【請求項４１】
前記ＰＣＣが前記ＵＥのための指定された制御情報を搬送し、前記ＳＣＣが前記ＵＥのためのデータを搬送する、請求項３５に記載の装置。
【請求項４２】
前記ＰＣＣおよび前記ＳＣＣが前記ＵＥのために独立して構成される、請求項３５に記載の装置。
【請求項４３】
前記第２のネットワークノードがアクセスポイントを備え、前記ＳＣＣが無認可帯域内にある、請求項３５に記載の装置。
【請求項４４】
前記第２のネットワークノードがリレーを備える、請求項３５に記載の装置。
【請求項４５】
前記第１のネットワークノードと通信するための前記手段が、前記ＰＣＣを介して前記第１のネットワークノードにデータを送るための手段と、前記ＰＣＣを介して前記第１のネットワークノードからデータを受信するための手段とを含み、前記第２のネットワークノードと通信するための前記手段が、前記ＳＣＣを介して前記第２のネットワークノードにデータを送るための手段と、前記ＳＣＣを介して前記第２のネットワークノードからデータを受信するための手段とを含む、請求項３５に記載の装置。
【請求項４６】
前記第１のネットワークノードと通信するための前記手段が、前記ＰＣＣを介して前記第１のネットワークノードにデータを送るための手段と、前記ＰＣＣを介して前記第１のネットワークノードからデータを受信するための手段とを含み、前記第２のネットワークノードと通信するための前記手段が、前記ＳＣＣを介して前記第２のネットワークノードからデータを受信するための手段のみを含む、請求項３５に記載の装置。
【請求項４７】
前記ＰＣＣがトラフィックデータを搬送し、前記ＳＣＣが前記ＵＥのためのブロードキャストデータを搬送する、請求項３５に記載の装置。
【請求項４８】
データが、前記ＰＣＣ上でハイブリッド自動再送信（ＨＡＲＱ）を用いて送られ、前記ＳＣＣ上でＨＡＲＱを用いずに送られる、請求項３５に記載の装置。
【請求項４９】
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いて、ユーザ機器（ＵＥ）を構成するための手段と、
前記第１の時間の後の第２の時間における第３のネットワークノードとの通信のために前記ＳＣＣを用いて前記ＵＥを構成するための手段と、
前記第３のネットワークノードとの通信のために前記ＵＥを構成するための前記手段の間、前記ＰＣＣを介した前記第１のネットワークノードとの通信を維持するように前記ＵＥを構成するための手段であって、前記ＵＥが前記ＰＣＣを介して前記第１のネットワークノードと通信している間、前記ＵＥについてハンドオーバが実行されない、構成するための手段と
を備える、ワイヤレス通信のための装置。
【請求項５０】
前記第１の時間における少なくとも１つの他のネットワークノードとの通信のために別のＳＣＣを用いて前記ＵＥを構成するための手段
をさらに備える、請求項４９に記載の装置。
【請求項５１】
前記ＰＣＣが前記ＵＥのために構成されるとき、第１の時間期間中に前記ＵＥの構成に前記ＳＣＣを追加するか、または前記ＵＥの構成から前記ＳＣＣを除去するための手段
をさらに備える、請求項４９に記載の装置。
【請求項５２】
前記ＰＣＣおよび前記ＳＣＣ上でのデータ送信についての許可を前記ＵＥに送るための手段
をさらに備える、請求項４９に記載の装置。
【請求項５３】
前記ＰＣＣ上でのデータ送信についての第１の許可を前記ＵＥに送るための手段と、
前記ＳＣＣ上でのデータ送信についての第２の許可を前記ＵＥに送るための手段と
をさらに備える、請求項４９に記載の装置。
【請求項５４】
集中型スケジューリングを用いて前記ＵＥのために前記ＰＣＣおよび前記ＳＣＣ上でのデータ送信をスケジュールするための手段
をさらに備える、請求項４９に記載の装置。
【請求項５５】
分散型スケジューリングを用いて前記ＵＥのために前記ＰＣＣおよび前記ＳＣＣ上でのデータ送信をスケジュールするための手段
をさらに備える、請求項４９に記載の装置。
【請求項５６】
前記ＰＣＣが前記ＵＥのための指定された制御情報を搬送し、前記ＳＣＣが前記ＵＥのためのデータを搬送する、請求項４９に記載の装置。
【請求項５７】
前記ＰＣＣが前記ＵＥのための第１のタイプのデータを搬送し、前記ＳＣＣが前記ＵＥのための第２のタイプのデータを搬送する、請求項４９に記載の装置。
【請求項５８】
前記ＰＣＣおよび前記ＳＣＣが前記ＵＥのために独立して構成される、請求項４９に記載の装置。
【請求項５９】
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項４９に記載の装置。
【請求項６０】
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、請求項４９に記載の装置。
【請求項６１】
前記ＰＣＣがトラフィックデータを搬送し、前記ＳＣＣが前記ＵＥのためのブロードキャストデータを搬送する、請求項４９に記載の装置。
【請求項６２】
データが、前記ＰＣＣ上でハイブリッド自動再送信（ＨＡＲＱ）を用いて送られ、前記ＳＣＣ上でＨＡＲＱを用いずに送られる、請求項４９に記載の装置。
【請求項６３】
前記第２のネットワークノードがリレーを備える、請求項４９に記載の装置。
【請求項６４】
プライマリコンポーネントキャリア（ＰＣＣ）上でユーザ機器（ＵＥ）から第１のネットワークノードに送られた第１のアップリンク送信についての第１のシンボル推定値を取得するための手段と、
前記第１のアップリンク送信を受信する第２のネットワークノードから前記第１のアップリンク送信についての第２のシンボル推定値を取得するための手段であって、前記ＵＥが、前記ＰＣＣ上で前記第１のネットワークノードと、セカンダリＣＣ（ＳＣＣ）上で前記第２のネットワークノードと同時に通信する、第２のシンボル推定値を取得するための手段と、
前記第１のアップリンク送信についての第１の合成シンボル推定値を取得するために前記第１のシンボル推定値と前記第２のシンボル推定値とを合成するための手段と、
前記ＵＥによって前記第１のアップリンク送信において送られたデータを復元するために前記第１の合成シンボル推定値を復号するための手段と
を備える、ワイヤレス通信のための装置。
【請求項６５】
前記ＳＣＣ上で前記ＵＥから前記第２のネットワークノードに送られ、前記第１のネットワークノードによって受信された第２のアップリンク送信についての第３のシンボル推定値を取得するための手段と、
前記第２のネットワークノードから前記第２のアップリンク送信についての第４のシンボル推定値を取得するための手段と、
前記第２のアップリンク送信についての第２の合成シンボル推定値を取得するために前記第３のシンボル推定値と前記第４のシンボル推定値とを合成するための手段と、
前記ＵＥによる前記第２のアップリンク送信におけるデータを復元するために前記第２の合成シンボル推定値を復号するための手段と
をさらに備える、請求項６４に記載の装置。
【請求項６６】
前記第１のアップリンク送信についての前記ＵＥの第１の送信タイミングを調整するための手段と、
前記第２のアップリンク送信についての前記ＵＥの第２の送信タイミングを調整するための手段と
をさらに備える、請求項６４に記載の装置。
【請求項６７】
前記ＵＥの前記第１の送信タイミングおよび前記第２の送信タイミングが、前記ＵＥからのアップリンク送信についてのソフト合成の復号パフォーマンスを改善するように調整される、請求項６６に記載の装置。
【請求項６８】
前記第１のネットワークノードが前記ＵＥのサービングセルを備え、前記第２のネットワークノードがリレーを備える、請求項６４に記載の装置。
【請求項６９】
プログラムコードを記録した非一時的コンピュータ可読媒体を備える、ワイヤレスネットワークにおけるワイヤレス通信のためのコンピュータプログラム製品であって、前記プログラムコードは、
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することをコンピュータに行わせるためのプログラムコードと、
前記ＵＥによって第２の時間において前記ＳＣＣを介した第３のネットワークノードとの通信を確立することをコンピュータに行わせるためのプログラムコードと、
前記第３のネットワークノードとの通信を確立することをコンピュータに行わせるための前記プログラムコードの実行中、前記ＵＥにおいてハンドオーバをトリガすることなしに前記ＰＣＣを介した前記第１のネットワークノードとの通信を維持することをコンピュータに行わせるためのプログラムコードと
を含む、コンピュータプログラム製品。
【請求項７０】
前記第２のネットワークノードのカバレージエリアを出た後、前記ＳＣＣを介した前記第２のネットワークノードとの通信を非アクティブ化することをコンピュータに行わせるためのプログラムコードであって、前記非アクティブ化することをコンピュータに行わせるための前記プログラムコードは前記ＵＥにおいてハンドオーバをトリガしない、非アクティブ化することをコンピュータに行わせるためのプログラムコード
をさらに備える、請求項６９に記載のコンピュータプログラム製品。
【請求項７１】
前記ＵＥによって前記第１の時間において少なくとも１つの追加のＳＣＣを介して少なくとも１つの追加のネットワークノードと通信することをコンピュータに行わせるためのプログラムコード
をさらに備える、請求項６９に記載のコンピュータプログラム製品。
【請求項７２】
前記第１のネットワークノードと通信することをコンピュータに行わせるための前記プログラムコードが、前記ＰＣＣを介して前記第１のネットワークノードにデータを送り、前記ＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードにデータを送り、前記ＳＣＣを介して前記第２のネットワークノードからデータを受信することをコンピュータに行わせるためのプログラムコードを含む、請求項６９に記載のコンピュータプログラム製品。
【請求項７３】
前記第１のネットワークノードと通信することをコンピュータに行わせるための前記プログラムコードが、前記ＰＣＣを介して前記第１のネットワークノードにデータを送り、前記ＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードからデータを受信することをコンピュータに行わせるためのプログラムコードのみを含む、請求項６９に記載のコンピュータプログラム製品。
【請求項７４】
プログラムコードを記録した非一時的コンピュータ可読媒体を備える、ワイヤレスネットワークにおけるワイヤレス通信のためのコンピュータプログラム製品であって、前記プログラムコードは、
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いてユーザ機器（ＵＥ）を構成することをコンピュータに行わせるためのプログラムコードと、
前記第１の時間の後の第２の時間における第３のネットワークノードとの通信のために前記ＳＣＣを用いて前記ＵＥを構成することをコンピュータに行わせるためのプログラムコードと、
前記第３のネットワークノードとの通信のために前記ＵＥを前記構成する間、前記ＰＣＣを介した前記第１のネットワークノードとの通信を維持するように前記ＵＥを構成することをコンピュータに行わせるためのプログラムコードであって、前記ＵＥが前記ＰＣＣを介して前記第１のネットワークノードと通信している間、前記ＵＥについてハンドオーバが実行されない、前記ＵＥを構成することをコンピュータに行わせるためのプログラムコードと
を含む、コンピュータプログラム製品。
【請求項７５】
前記第１の時間における少なくとも１つの他のネットワークノードとの通信のために別のＳＣＣを用いて前記ＵＥを構成することをコンピュータに行わせるためのプログラムコード
をさらに備える、請求項７４に記載のコンピュータプログラム製品。
【請求項７６】
前記ＰＣＣが前記ＵＥのために構成されるとき、第１の時間期間中に前記ＵＥの構成に前記ＳＣＣを追加するか、または前記ＵＥの構成から前記ＳＣＣを除去することをコンピュータに行わせるためのプログラムコード
をさらに備える、請求項７４に記載のコンピュータプログラム製品。
【請求項７７】
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項７４に記載のコンピュータプログラム製品。
【請求項７８】
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、請求項７４に記載のコンピュータプログラム製品。
【請求項７９】
前記ＰＣＣがトラフィックデータを搬送し、前記ＳＣＣが前記ＵＥのためのブロードキャストデータを搬送する、請求項７４に記載のコンピュータプログラム製品。
【請求項８０】
プログラムコードを記録した非一時的コンピュータ可読媒体を備える、ワイヤレスネットワークにおけるワイヤレス通信のためのコンピュータプログラム製品であって、前記プログラムコードは、
プライマリコンポーネントキャリア（ＰＣＣ）上でユーザ機器（ＵＥ）から第１のネットワークノードに送られた第１のアップリンク送信についての第１のシンボル推定値を取得することをコンピュータに行わせるためのプログラムコードと、
前記第１のアップリンク送信を受信する第２のネットワークノードから前記第１のアップリンク送信についての第２のシンボル推定値を取得することをコンピュータに行わせるためのプログラムコードであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することをコンピュータに行わせるためのプログラムコードと、
前記第１のアップリンク送信についての第１の合成シンボル推定値を取得するために前記第１のシンボル推定値と前記第２のシンボル推定値とを合成することをコンピュータに行わせるためのプログラムコードと、
前記ＵＥによって前記第１のアップリンク送信において送られたデータを復元するために前記第１の合成シンボル推定値を復号することをコンピュータに行わせるためのプログラムコードと
を含む、コンピュータプログラム製品。
【請求項８１】
前記ＳＣＣ上で前記ＵＥから前記第２のネットワークノードに送られ、前記第１のネットワークノードによって受信された第２のアップリンク送信についての第３のシンボル推定値を取得することをコンピュータに行わせるためのプログラムコードと、
前記第２のネットワークノードから前記第２のアップリンク送信についての第４のシンボル推定値を取得することをコンピュータに行わせるためのプログラムコードと、
前記第２のアップリンク送信についての第２の合成シンボル推定値を取得するために前記第３のシンボル推定値と前記第４のシンボル推定値とを合成することをコンピュータに行わせるためのプログラムコードと、
前記ＵＥによる前記第２のアップリンク送信におけるデータを復元するために前記第２の合成シンボル推定値を復号することをコンピュータに行わせるためのプログラムコードと
をさらに備える、請求項８０に記載のコンピュータプログラム製品。
【請求項８２】
前記第１のアップリンク送信についての前記ＵＥの第１の送信タイミングを調整することをコンピュータに行わせるためのプログラムコードと、
前記第２のアップリンク送信についての前記ＵＥの第２の送信タイミングを調整することをコンピュータに行わせるためのプログラムコードと
をさらに備える、請求項８０に記載のコンピュータプログラム製品。
【請求項８３】
ワイヤレス通信のために構成された装置であって、前記装置が、
少なくとも１つのプロセッサと、
前記少なくとも１つのプロセッサに結合されたメモリと
を備え、
前記少なくとも１つのプロセッサは、
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することと、
前記ＵＥによって第２の時間において前記ＳＣＣを介した第３のネットワークノードとの通信を確立することと、
前記第３のネットワークノードとの通信の確立中、前記ＵＥにおいてハンドオーバをトリガすることなしに前記ＰＣＣを介した前記第１のネットワークノードとの通信を維持することと
を行うように構成される、装置。
【請求項８４】
前記第２のネットワークノードのカバレージエリアを出た後、前記ＳＣＣを介した前記第２のネットワークノードとの通信を非アクティブ化することであって、前記非アクティブ化は前記ＵＥにおいてハンドオーバをトリガしない、非アクティブ化すること
を行うための前記少なくとも１つのプロセッサの構成をさらに備える、請求項８３に記載の装置。
【請求項８５】
前記ＵＥによって前記第１の時間において少なくとも１つの追加のＳＣＣを介して少なくとも１つの追加のネットワークノードと通信すること
を行うための前記少なくとも１つのプロセッサの構成をさらに備える、請求項８３に記載の装置。
【請求項８６】
前記第１のネットワークノードと通信することを行うための前記少なくとも１つのプロセッサの前記構成が、前記ＰＣＣを介して前記第１のネットワークノードにデータを送り、前記ＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードにデータを送り、前記ＳＣＣを介して前記第２のネットワークノードからデータを受信することを行うための前記少なくとも１つのプロセッサの構成を含む、請求項８３に記載の装置。
【請求項８７】
前記第１のネットワークノードと通信することを行うための前記少なくとも１つのプロセッサの前記構成が、前記ＰＣＣを介して前記第１のネットワークノードにデータを送り、前記ＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードからデータを受信することを行うための前記少なくとも１つのプロセッサの構成のみを含む、請求項８３に記載の装置。
【請求項８８】
ワイヤレス通信のために構成された装置であって、
少なくとも１つのプロセッサと、
前記少なくとも１つのプロセッサに結合されたメモリと
を備え、
前記少なくとも１つのプロセッサは、
第１の時間における第１のネットワークノードとの通信のためにプライマリコンポーネントキャリア（ＰＣＣ）を用い、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第３のネットワークノードとの通信のために前記ＵＥを前記構成する間、前記ＰＣＣを介した前記第１のネットワークノードとの通信を維持するように前記ＵＥを構成することであって、前記ＵＥが前記ＰＣＣを介して前記第１のネットワークノードと通信している間、前記ＵＥについてハンドオーバが実行されない、前記ＵＥを構成することと
を行うように構成される、装置。
【請求項８９】
前記第１の時間における少なくとも１つの他のネットワークノードとの通信のために別のＳＣＣを用いて前記ＵＥを構成すること
を行うための前記少なくとも１つのプロセッサの構成をさらに備える、請求項８８に記載の装置。
【請求項９０】
前記ＰＣＣが前記ＵＥのために構成されるとき、第１の時間期間中に前記ＵＥの構成に前記ＳＣＣを追加するか、または前記ＵＥの構成から前記ＳＣＣを除去すること
を行うための前記少なくとも１つのプロセッサの構成をさらに備える、請求項８８に記載の装置。
【請求項９１】
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項８８に記載の装置。
【請求項９２】
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、請求項８８に記載の装置。
【請求項９３】
前記ＰＣＣがトラフィックデータを搬送し、前記ＳＣＣが前記ＵＥのためのブロードキャストデータを搬送する、請求項８８に記載の装置。
【請求項９４】
ワイヤレス通信のために構成された装置であって、
少なくとも１つのプロセッサと、
前記少なくとも１つのプロセッサに結合されたメモリと
を備え、
前記少なくとも１つのプロセッサは、
プライマリコンポーネントキャリア（ＰＣＣ）上でユーザ機器（ＵＥ）から第１のネットワークノードに送られた第１のアップリンク送信についての第１のシンボル推定値を取得することと、
前記第１のアップリンク送信を受信する第２のネットワークノードから前記第１のアップリンク送信についての第２のシンボル推定値を取得することであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することと、
前記第１のアップリンク送信についての第１の合成シンボル推定値を取得するために前記第１のシンボル推定値と前記第２のシンボル推定値とを合成することと、
前記ＵＥによって前記第１のアップリンク送信において送られたデータを復元するために前記第１の合成シンボル推定値を復号することと
を行うように構成される、装置。
【請求項９５】
前記ＳＣＣ上で前記ＵＥから前記第２のネットワークノードに送られ、前記第１のネットワークノードによって受信された第２のアップリンク送信についての第３のシンボル推定値を取得することと、
前記第２のネットワークノードから前記第２のアップリンク送信についての第４のシンボル推定値を取得することと、
前記第２のアップリンク送信についての第２の合成シンボル推定値を取得するために前記第３のシンボル推定値と前記第４のシンボル推定値とを合成することと、
前記ＵＥによる前記第２のアップリンク送信におけるデータを復元するために前記第２の合成シンボル推定値を復号することと
を行うための前記少なくとも１つのプロセッサの構成をさらに備える、請求項９４に記載の装置。
【請求項９６】
前記第１のアップリンク送信についての前記ＵＥの第１の送信タイミングを調整することと、
前記第２のアップリンク送信についての前記ＵＥの第２の送信タイミングを調整することと
を行うための前記少なくとも１つのプロセッサの構成をさらに備える、請求項９４に記載の装置。
【発明の詳細な説明】
【技術分野】
【０００１】
関連出願の相互参照
[0001]本出願は、その全体が参照により本明細書に明確に組み込まれる、２０１２年４月１７日に出願された「COMMUNICATION IN A HETEROGENEOUS NETWORK WITH CARRIER AGGREGATION」と題する米国仮特許出願第６１／６２５，５５６号、および２０１３年３月１４日に出願された「COMMUNICATION IN A HETEROGENEOUS NETWORK WITH CARRIER AGGREGATION」と題する米国実用特許出願第１３／８２９，２８６号の利益を主張する。
【０００２】
[0002]本開示は、一般に、異種ネットワーク（ＨｅｔＮｅｔ）において通信することに関する。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによってマルチプルなユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]本開示の様々な態様は、ユーザ機器（ＵＥ）によって、第１の時間において、プライマリコンポーネントキャリア（ＰＣＣ：primary component carrier）を介して第１のネットワークノードと通信し、セカンダリコンポーネントキャリア（ＳＣＣ：secondary component carrier）を介して第２のネットワークノードと通信することと、ＵＥによって、第２の時間においてＳＣＣを介した第３のネットワークノードとの通信を確立することと、第３のネットワークノードとの通信を確立する間、ＵＥにおいてハンドオーバをトリガすることなしにＰＣＣを介した第１のネットワークノードとの通信を維持することとを含む、ワイヤレス通信のための方法を対象とする。
【０００６】
[0006]本開示の追加の態様は、第１の時間における第１のネットワークノードとの通信のためにＰＣＣを用いて、第２のネットワークノードとの通信のためにＳＣＣを用いて、ＵＥを構成することと、第１の時間の後の第２の時間における第３のネットワークノードとの通信のためにＳＣＣを用いてＵＥを構成することと、第３のネットワークノードとの通信のためにＵＥを構成する間、ＰＣＣを介した第１のネットワークノードとの通信を維持するようにＵＥを構成することであって、ＵＥがＰＣＣを介して第１のネットワークノードと通信している間、ＵＥについてハンドオーバが実行されない、ＵＥを構成することとを含む、ワイヤレス通信のための方法を対象とする。
【０００７】
[0007]本開示のさらなる態様は、ＰＣＣ上でＵＥから第１のネットワークノードに送られた第１のアップリンク送信についての第１のシンボル推定値を取得することと、第１のアップリンク送信を受信する第２のネットワークノードから第１のアップリンク送信についての第２のシンボル推定値を取得することであって、ＵＥが、ＰＣＣ上で第１のネットワークノードと、およびＳＣＣ上で第２のネットワークノードと同時に通信する、第２のシンボル推定値を取得することと、第１のアップリンク送信についての第１の合成シンボル推定値（first combined symbol estimates）を取得するために第１のシンボル推定値と第２のシンボル推定値とを合成（combining）することと、ＵＥによって第１のアップリンク送信において送られたデータを復元するために第１の合成シンボル推定値を復号することとを含む、ワイヤレス通信のための方法を対象とする。
【０００８】
[0008]本開示のさらなる態様は、ＵＥによって、第１の時間において、ＰＣＣを介して第１のネットワークノードと通信し、ＳＣＣを介して第２のネットワークノードと通信するための手段と、ＵＥによって、第２の時間においてＳＣＣを介した第３のネットワークノードとの通信を確立するための手段と、第３のネットワークノードとの通信を確立するための手段の間、ＵＥにおいてハンドオーバをトリガすることなしにＰＣＣを介した第１のネットワークノードとの通信を維持するための手段とを含む、ワイヤレス通信のための装置を対象とする。
【０００９】
[0009]本開示のさらなる態様は、第１の時間における第１のネットワークノードとの通信のためにＰＣＣを用いて、第２のネットワークノードとの通信のためにＳＣＣを用いて、ＵＥを構成するための手段と、第１の時間の後の第２の時間における第３のネットワークノードとの通信のためにＳＣＣを用いてＵＥを構成するための手段と、第３のネットワークノードとの通信のためにＵＥを構成するための手段の間、ＰＣＣを介した第１のネットワークノードとの通信を維持するようにＵＥを構成するための手段であって、ＵＥがＰＣＣを介して第１のネットワークノードと通信している間、ＵＥについてハンドオーバが実行されない、構成するための手段とを含む、ワイヤレス通信のための装置を対象とする。
【００１０】
[0010]本開示のさらなる態様は、ＰＣＣ上でＵＥから第１のネットワークノードに送られた第１のアップリンク送信についての第１のシンボル推定値を取得するための手段と、第１のアップリンク送信を受信する第２のネットワークノードから第１のアップリンク送信についての第２のシンボル推定値を取得するための手段であって、ＵＥが、ＰＣＣ上で第１のネットワークノードと、およびＳＣＣ上で第２のネットワークノードと同時に通信する、第２のシンボル推定値を取得するための手段と、第１のアップリンク送信についての第１の合成シンボル推定値を取得するために第１のシンボル推定値と第２のシンボル推定値とを合成するための手段と、ＵＥによって第１のアップリンク送信において送られたデータを復元するために第１の合成シンボル推定値を復号するための手段とを含む、ワイヤレス通信のための装置を対象とする。
【００１１】
[0011]本開示のさらなる態様は、プログラムコードを記録した非一時的コンピュータ可読媒体を含む、ワイヤレスネットワークにおけるワイヤレス通信のためのコンピュータプログラム製品を対象とする。プログラムコードは、ＵＥによって、第１の時間において、ＰＣＣを介して第１のネットワークノードと通信し、ＳＣＣを介して第２のネットワークノードと通信することをコンピュータに行わせるためのコードと、ＵＥによって、第２の時間においてＳＣＣを介した第３のネットワークノードとの通信を確立することをコンピュータに行わせるためのコードと、第３のネットワークノードとの通信を確立することをコンピュータに行わせるためのプログラムコードの実行中、ＵＥにおいてハンドオーバをトリガすることなしにＰＣＣを介した第１のネットワークノードとの通信を維持することをコンピュータに行わせるためのコードとを含む。
【００１２】
[0012]本開示のさらなる態様は、プログラムコードを記録した非一時的コンピュータ可読媒体を含む、ワイヤレスネットワークにおけるワイヤレス通信のためのコンピュータプログラム製品を対象とする。プログラムコードは、第１の時間における第１のネットワークノードとの通信のためにＰＣＣを用いて、第２のネットワークノードとの通信のためにＳＣＣを用いて、ＵＥを構成することをコンピュータに行わせるためのコードと、第１の時間の後の第２の時間における第３のネットワークノードとの通信のためにＳＣＣを用いてＵＥを構成することをコンピュータに行わせるためのコードと、第３のネットワークノードとの通信のためにＵＥを構成する間、ＰＣＣを介した第１のネットワークノードとの通信を維持するようにＵＥを構成することをコンピュータに行わせるためのコードであって、ＵＥがＰＣＣを介して第１のネットワークノードと通信している間、ＵＥについてハンドオーバが実行されない、ＵＥを構成することをコンピュータに行わせるためのコードとを含む。
【００１３】
[0013]本開示のさらなる態様は、プログラムコードを記録した非一時的コンピュータ可読媒体を含む、ワイヤレスネットワークにおけるワイヤレス通信のためのコンピュータプログラム製品を対象とする。プログラムコードは、ＰＣＣ上でＵＥから第１のネットワークノードに送られた第１のアップリンク送信についての第１のシンボル推定値を取得することをコンピュータに行わせるためのコードと、第１のアップリンク送信を受信する第２のネットワークノードから第１のアップリンク送信についての第２のシンボル推定値を取得することをコンピュータに行わせるためのコードであって、ＵＥが、ＰＣＣ上で第１のネットワークノードと、およびＳＣＣ上で第２のネットワークノードと同時に通信する、第２のシンボル推定値を取得することをコンピュータに行わせるためのコードと、第１のアップリンク送信についての第１の合成シンボル推定値を取得するために第１のシンボル推定値と第２のシンボル推定値とを合成することをコンピュータに行わせるためのコードと、ＵＥによって第１のアップリンク送信において送られたデータを復元するために第１の合成シンボル推定値を復号することをコンピュータに行わせるためのコードとを含む。
【００１４】
[0014]本開示のさらなる態様は、少なくとも１つのプロセッサと、プロセッサに結合されたメモリとを含む、ワイヤレス通信のために構成された装置を対象とする。プロセッサは、ＵＥによって、第１の時間において、ＰＣＣを介して第１のネットワークノードと通信し、ＳＣＣを介して第２のネットワークノードと通信することと、ＵＥによって、第２の時間においてＳＣＣを介した第３のネットワークノードとの通信を確立することと、第３のネットワークノードとの通信の確立中、ＵＥにおいてハンドオーバをトリガすることなしにＰＣＣを介した第１のネットワークノードとの通信を維持することとを行うように構成される。
【００１５】
[0015]本開示のさらなる態様は、少なくとも１つのプロセッサと、プロセッサに結合されたメモリとを含む、ワイヤレス通信のために構成された装置を対象とする。プロセッサは、第１の時間における第１のネットワークノードとの通信のためにＰＣＣを用いて、第２のネットワークノードとの通信のためにＳＣＣを用いて、ＵＥを構成することと、第１の時間の後の第２の時間における第３のネットワークノードとの通信のためにＳＣＣを用いてＵＥを構成することと、第３のネットワークノードとの通信のためにＵＥを構成する間、ＰＣＣを介した第１のネットワークノードとの通信を維持するようにＵＥを構成することであって、ＵＥがＰＣＣを介して第１のネットワークノードと通信している間、ＵＥについてハンドオーバが実行されない、ＵＥを構成することとを行うように構成される。
【００１６】
[0016]本開示のさらなる態様は、少なくとも１つのプロセッサと、少なくとも１つのプロセッサに結合されたメモリとを含む、ワイヤレス通信のために構成された装置を対象とする。プロセッサは、ＰＣＣ上でＵＥから第１のネットワークノードに送られた第１のアップリンク送信についての第１のシンボル推定値を取得することと、第１のアップリンク送信を受信する第２のネットワークノードから第１のアップリンク送信についての第２のシンボル推定値を取得することであって、ＵＥが、ＰＣＣ上で第１のネットワークノードと、およびＳＣＣ上で第２のネットワークノードと同時に通信する、第２のシンボル推定値を取得することと、第１のアップリンク送信についての第１の合成シンボル推定値を取得するために第１のシンボル推定値と第２のシンボル推定値とを合成することと、ＵＥによって第１のアップリンク送信において送られたデータを復元するために第１の合成シンボル推定値を復号することとを行うように構成される。
【図面の簡単な説明】
【００１７】
【図１】[0017]モバイル通信システムの一例を概念的に示すブロック図。
【図２】[0018]モバイル通信システムにおけるダウンリンクフレーム構造の一例を概念的に示すブロック図。
【図３Ａ】[0019]コンポーネントキャリアの例示的な構成を示す図。
【図３Ｂ】コンポーネントキャリアの例示的な構成を示す図。
【図４Ａ】[0020]キャリアアグリゲーションのために構成された例示的なワイヤレスネットワークを示すブロック図。
【図４Ｂ】キャリアアグリゲーションのために構成された例示的なワイヤレスネットワークを示すブロック図。
【図５】[0021]キャリアアグリゲーションのために構成された例示的なワイヤレスネットワークを示すブロック図。
【図６】[0022]本開示の一態様に従って構成された、キャリアアグリゲーションを用いた例示的なワイヤレスネットワークを示すブロック図。
【図７】[0023]本開示の一態様を実装するために実行される例示的なブロックを示す機能ブロック図。
【図８】[0024]本開示の一態様を実装するために実行される例示的なブロックを示す機能ブロック図。
【図９】[0025]本開示の一態様を実装するために実行される例示的なブロックを示す機能ブロック図。
【図１０】[0026]本開示の一態様を実装するために実行される例示的なブロックを示す機能ブロック図。
【図１１】[0027]本開示の一態様に従って構成された例示的なネットワークノードおよびＵＥを示すブロック図。
【図１２】[0028]本開示の一態様に従って構成されたネットワークノードおよびＵＥの設計を示すブロック図。
【詳細な説明】
【００１８】
[0029]キャリアアグリゲーションを用いたＨｅｔＮｅｔにおいて通信するための技法を本明細書で開示する。これらの技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ：Long Term Evolution）およびＬＴＥアドバンスト（ＬＴＥ−Ａ：LTE-Advanced）は、ダウンリンク上ではＯＦＤＭＡを利用し、アップリンク上ではＳＣ−ＦＤＭＡを利用するＥ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１９】
[0030]図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ＵＥと通信する局またはノードであり得、基地局、ノードＢ、アクセスポイントなどと呼ばれることもある。各ｅＮＢ１１０は、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアにサービスしているｅＮＢサブシステムを指すことがある。
【００２０】
[0031]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。図１に示された例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｄは、ピコセル１０２ｄのためのピコｅＮＢであり得る。ｅＮＢ１１０ｅおよび１１０ｆは、それぞれフェムトセル１０２ｅおよび１０２ｆのためのホームｅＮＢであり得る。ｅＮＢは、１つまたはマルチプルな（たとえば、３つの）セルをサポートし得る。「ｅＮＢ」、「セル」、および「基地局」という用語は互換的に使用され得る。
【００２１】
[0032]ワイヤレスネットワーク１００はまた、リレーを含み得る。リレーは、上流局（たとえば、ｅＮＢまたはＵＥ）からデータの送信を受信し、そのデータの送信を下流局（たとえば、ＵＥまたはｅＮＢ）に送る局またはノードであり得る。リレーはまた、他のＵＥに対する送信を中継するＵＥであり得る。図１に示された例では、リレー１１２は、ｅＮＢ１１０ａとＵＥ１２０ｒとの間の通信を可能にするために、ｅＮＢ１１０ａおよびＵＥ１２０ｒと通信し得る。リレー１１２は、ｅＮＢ１１０ａにはＵＥのように見えることがあり、ＵＥ１２０ｒにはｅＮＢのように見えることがある。
【００２２】
[0033]ワイヤレスネットワーク１００はまた、リモートラジオヘッド（ＲＲＨ）を含み得る。ＲＲＨは、無線周波数（ＲＦ）送信および受信をサポートすることができるリモートユニットであり得る。ｅＮＢは、ｅＮＢから離れて位置し得る１つまたは複数のＲＲＨを含み得る。ｅＮＢは、標準インターフェースを使用してワイヤラインバックホール（たとえば、光ファイバー）を介してＲＲＨに結合され得る。ｅＮＢはＲＲＨを介してＵＥと通信し得る。
【００２３】
[0034]ワイヤレスネットワーク１００はまた、他のネットワークエンティティを含み得る。たとえば、ネットワークコントローラ１３０は、ｅＮＢのセットに結合し、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２４】
[0035]ワイヤレスネットワーク１００は、様々なタイプのネットワークノードを含むＨｅｔＮｅｔであり得る。ネットワークノードは、マクロｅＮＢ／セル、ピコｅＮＢ／セル、ホームｅＮＢ／フェムトセル、リレー、ＲＲＨなどであり得る。たとえば、ワイヤレスネットワーク１００は、様々な送信電力レベル、様々なカバレージエリア、およびワイヤレスネットワーク１００中の干渉に対する様々な影響を有し得る、マクロｅＮＢ／セル、ピコｅＮＢ／セル、ホームｅＮＢ／フェムトセル、リレー、ＲＲＨなどを含み得る。マクロｅＮＢ／セルは、高い送信電力レベル（たとえば、５〜４０ワット）を有し得るが、ピコｅＮＢ／セル、ホームｅＮＢ／フェムトセル、およびリレーは、より低い送信電力レベル（たとえば、０．１〜２ワット）を有し得る。ワイヤレスネットワーク１００は高密度ＨｅｔＮｅｔまたは超高密度ＨｅｔＮｅｔであり得る。ＨｅｔＮｅｔの密度はｅＮＢ対ＵＥ比によって定量化され得、超高密度ＨｅｔＮｅｔは、１：１に近づく（または場合によってはｅＮＢがＵＥよりも多い１：１を超える）低いｅＮＢ対ＵＥ比を有し得る。
【００２５】
[0036]ＵＥ１２０はワイヤレスネットワーク１００全体にわたって分散され得、各ＵＥは固定または移動であり得る。ＵＥは、端末、移動局、加入者ユニット、局などと呼ばれることもある。ＵＥは、セルラー電話、スマートフォン、タブレット、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、所与の瞬間において１つまたは複数のネットワークノード（たとえば、１つまたは複数のマクロセル、ピコセル、フェムトセル、リレー、ＲＲＨなど）と通信することが可能であり得る。
【００２６】
[0037]ワイヤレスネットワーク１００は、信頼性を改善するために、ハイブリッド自動再送信（ＨＡＲＱ：hybrid automatic retransmission）を用いたデータ送信をサポートし得る。ＨＡＲＱでは、送信機（たとえば、ＵＥ）は、データのパケットの初期送信を送り得、必要な場合、パケットが受信機（たとえば、ｅＮＢ／セル）によって正しく復号されるか、またはパケットの最大数の送信が行われるか、または何らかの他の終了条件に遭遇するまで、パケットの１つまたは複数の追加の送信を送り得る。パケットの各送信後に、受信機は、パケットのすべての受信された送信を復号して、パケットを復元することを試み得る。受信機は、パケットが正しく復号された場合は肯定応答（ＡＣＫ）を送るか、またはパケットが誤って復号された場合は否定応答（ＮＡＫ）を送り得る。送信機は、ＮＡＫが受信された場合にパケットの別の送信を送り得、ＡＣＫが受信された場合にパケットの送信を終了し得る。データは、特定の時間において送られるデータの所与の送信について、いつＡＣＫ／ＮＡＫフィードバックを送るべきかまたはいつ再送信を送るべきかを示し得るＨＡＲＱタイムラインに基づいて送信され得る。たとえば、時間ｔにおいて送られるデータの所与の送信について、時間ｔ＋４において４ｍｓ後にＡＣＫ／ＮＡＫフィードバックが送られ得、時間ｔ＋８において８ｍｓ後に再送信が送られ得る、８ミリ秒（ｍｓ）のＨＡＲＱタイムラインが使用され得る。
【００２７】
[0038]図２に、ＬＴＥにおけるＦＤＤのための例示的なフレーム構造２００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００２８】
[0039]セルは、ダウンリンクのためのサブフレーム（またはダウンリンクサブフレーム）の制御領域中で物理制御フォーマットインジケータチャネル（ＰＣＦＩＣＨ：Physical Control Format Indicator Channel）、物理ＨＡＲＱインジケータチャネル（ＰＨＩＣＨ：Physical HARQ Indicator Channel）、物理ダウンリンク制御チャネル（ＰＤＣＣＨ：Physical Downlink Control Channel）、および／または他の物理チャネルを送信し得る。ＰＣＦＩＣＨは、ダウンリンクサブフレームの制御領域のために使用されるいくつか（Ｍ個）のシンボル期間を搬送し得、ここで、Ｍは、１、２または３に等しくなり得、サブフレームごとに変化し得る。ＰＤＣＣＨは、ダウンリンク許可、アップリンク許可など、ダウンリンク制御情報（ＤＣＩ）を搬送し得る。ＰＨＩＣＨは、ＨＡＲＱを用いてアップリンク上で送られるデータ送信についてのＡＣＫ／ＮＡＫフィードバックを搬送し得る。セルはまた、ダウンリンクサブフレームのデータ領域中で物理ダウンリンク共有チャネル（ＰＤＳＣＨ：Physical Downlink Shared Channel）および／または他の物理チャネルを送信し得る。ＰＤＳＣＨは、ダウンリンク上でのデータ送信のためにスケジュールされたＵＥのためのデータを搬送し得る。
【００２９】
[0040]ＵＥは、アップリンクのためのサブフレーム（またはアップリンクサブフレーム）の制御領域中で物理アップリンク制御チャネル（ＰＵＣＣＨ：Physical Uplink Control Channel）を送信するか、またはアップリンクサブフレームのデータ領域中で物理アップリンク共有チャネル（ＰＵＳＣＨ：Physical Uplink Shared Channel）を送信し得る。ＰＵＣＣＨは、チャネル状態情報（ＣＳＩ）、ＡＣＫ／ＮＡＫフィードバック、スケジューリング要求など、アップリンク制御情報（ＵＣＩ）を搬送し得る。ＰＵＳＣＨはデータおよび／またはＵＣＩを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３０】
[0041]ワイヤレスネットワーク１００は、キャリアアグリゲーション（ＣＡ）またはマルチキャリア動作と呼ばれることがある、マルチプルなコンポーネントキャリア（ＣＣ）上での動作をサポートし得る。ＣＣは、通信のために使用される周波数のレンジを指し得、いくつかの特性に関連し得る。たとえば、ＣＣは、ＣＣ上での動作を定義するシステム情報に関連し得る。ＣＣは、キャリア、周波数チャネル、セルなどと呼ばれることもある。
【００３１】
[0042]ＵＥは、キャリアアグリゲーションのため、ダウンリンクのためのマルチプルなＣＣとアップリンクのための１つまたは複数のＣＣとで構成され得る。セルは、１つまたは複数のＣＣ上でデータと制御情報とをＵＥに送り得る。ＵＥは、１つまたは複数のＣＣ上でデータと制御情報とをセルに送り得る。
【００３２】
[0043]図３Ａに、連続キャリアアグリゲーションの一例を示す。マルチプルな（Ｋ個の）ＣＣが、通信のために利用可能であり得、互いに隣接し得、ここで、Ｋは任意の整数値であり得る。
【００３３】
[0044]図３Ｂに、不連続キャリアアグリゲーションの一例を示す。マルチプルな（Ｋ個の）ＣＣは、通信のために利用可能であり得、互いに分離され得る。
【００３４】
[0045]ＬＴＥ  Ｒｅｌｅａｓｅ  １０では、ＵＥは、キャリアアグリゲーションのための最高５つのＣＣで構成され得る。各ＣＣは、最高２０ＭＨｚの帯域幅を有し得、ＬＴＥ  Ｒｅｌｅａｓｅ  ８との後方互換性があり得る。したがって、ＵＥは、ＬＴＥ  Ｒｅｌｅａｓｅ  １０では最高５つのＣＣについて最高１００ＭＨｚで構成され得る。１つのＣＣがプライマリＣＣ（ＰＣＣ）に指定され得、残りの各々のＣＣはセカンダリＣＣ（ＳＣＣ）に指定され得る。セルは、ＰＣＣ上でＰＤＣＣＨに関する制御情報をＵＥに送り得る。ＵＥは、ＰＣＣ上でＰＵＣＣＨに関する制御情報をセルに送り得る。ＬＴＥ  Ｒｅｌｅａｓｅ  １０では、ＵＥは、そのＵＥのために構成されたすべてのＣＣ上で単一のネットワークノード（たとえば、サービングセル）と通信し得る。
【００３５】
[0046]本開示の一態様では、高密度ＨｅｔＮｅｔにおける通信をサポートするためにキャリアアグリゲーションが使用され得る。高密度ＨｅｔＮｅｔは、比較的小さい地理的エリアにおける様々なタイプの多くのネットワークノードの展開を指し得る。これらのネットワークノードは、マクロセル、ピコセル、リレー、ＲＲＨなどを含み得る。たとえば、多くのピコセル、リレー、および／またはＲＲＨは、マクロセルのカバレージ全体にわたって（たとえば、街灯柱上に、建物および家庭内に、店舗内になど）広く展開され得る。その場合、高密度ＨｅｔＮｅｔは、マクロセルに加えて、マクロセルのカバレージ内のピコセル、リレー、および／またはＲＲＨを含み得る。たとえば、マクロセルは、半径１〜２キロメートル（ｋｍ）のカバレージエリアを有し得、数百個のピコセル、リレー、および／またはＲＲＨを含み得る。様々なタイプのネットワークノードの展開はＨｅｔＮｅｔの容量を大幅に増加させ得る。ネットワーク容量をさらに増加させるために、ＨｅｔＮｅｔにおけるネットワークノードとの通信をサポートするためにマルチプルＣＣが使用され得る。たとえば、いくつかの事例では、高密度ＨｅｔＮｅｔのネットワーク容量は、単一のマクロセルのネットワーク容量よりも数百倍または数千倍大きくなり得る。
【００３６】
[0047]図４Ａに、キャリアアグリゲーションを用いた例示的なＨｅｔＮｅｔ４００を示す。図４Ａにおいて、セル１１０ｘは、マクロセルまたはピコセルであり得、それのカバレージエリア内のＵＥのための通信をサポートし得る。セル１１０ｘは集中ベースバンドユニットおよび／または集中制御ユニットを含み得る。セル１１０ｙは、セル１１０ｘのカバレージエリア内に位置するピコセルであり得る。リレー１１２ｘは、リレー１１２ｘのためのドナーセルであり得るセル１１０ｘのための送信を中継し得る。ＲＲＨ１１４ｘはセル１１０ｘのためのＲＦ送信および受信をサポートし得る。ダウンリンクでは、ＲＲＨ１１４ｘは、セル１１０ｘからデータを受信し、そのデータを含むダウンリンク信号を生成し、ダウンリンク信号をＵＥに送信し得る。アップリンクでは、ＲＲＨ１１４ｘは、ＵＥによって送られたアップリンク信号を受信し、シンボル推定値または復号データを取得するためにアップリンク信号を処理し、シンボル推定値または復号データをセル１１０ｘに送り得る。
【００３７】
[0048]ＵＥ１２０ｘは、時間Ｔ１において直接リンク４１２を介してセル１１０ｘと通信し得る。ＵＥ１２０ｘは図１のＵＥのうちの１つであり得る。ＵＥ１２０ｘはまた、時間Ｔ１においてリレー１１２ｘを介してセル１１０ｘと通信し得る。リレー１１２ｘは、アクセスリンク４１４を介してＵＥ１２０ｘと通信し、バックホールリンク４１６を介してセル１１０ｘと通信し得る。バックホールリンク４１６は、一般にワイヤレスリンクであり得るが、ワイヤラインリンクでもあり得る。ＵＥ１２０ｘは、モバイルであり得、時間Ｔ１よりもＫ１秒またはＫ１分後であり得る時間Ｔ２において新しいロケーションに移動し得る。ここで、Ｋ１は任意の値であり得る。時間Ｔ２において、ＵＥ１２０ｘは、直接リンク４２２を介してセル１１０ｘと通信し得、また、セカンダリリンク４２４を介してＲＲＨ１１４ｘと通信し得る。ＲＲＨ１１４ｘは、ワイヤライン（たとえば、光ファイバー）バックホール４２６を介してセル１１０ｘと通信し得る。ＵＥ１２０ｘは、時間Ｔ２よりもＫ２秒またはＫ２分後であり得る時間Ｔ３において新しいロケーションに移動し得る。ここで、Ｋ２は任意の値であり得る。時間Ｔ３において、ＵＥ１２０ｘは、直接リンク４３２を介してセル１１０ｘと通信し得、また、直接リンク４３４を介してセル１１０ｙと通信し得る。
【００３８】
[0049]本開示の一態様では、ＵＥは、キャリアアグリゲーションのための異なるＣＣを介してマルチプルなネットワークノードと同時に通信し得る。１つの設計では、ＵＥは、ＰＣＣとゼロまたはそれより多くのＳＳＣとを介してサービングセルと通信し得、また、１つまたは複数のＳＣＣを介して１つまたは複数の他のネットワークノードと通信し得る。マルチプルなＣＣの使用は、特に高密度ＨｅｔＮｅｔにおいて、容量およびパフォーマンスを改善し得る。
【００３９】
[0050]図４Ａに示された例では、２つのＣＣが利用可能であり得、それらは、周波数ｆ１におけるＰＣＣおよび周波数ｆ２におけるＳＣＣを含み得る。セル１１０ｘはＵＥ１２０ｘのサービングセルであり得る。時間Ｔ１において、ＵＥ１２０ｘは、周波数ｆ１上でＰＣＣを介してセル１１０ｘと通信し得、周波数ｆ２上でＳＣＣを介してリレー１１２ｘと通信し得る。リレー１１２ｘはＰＣＣを介してセル１１０ｘと通信し得る。時間Ｔ２において、ＵＥ１２０ｘは、ＰＣＣを介してセル１１０ｘと通信し得、ＳＣＣを介してＲＲＨ１１４ｘと通信し得る。ＲＲＨ１１４ｘはワイヤラインバックホールを介してセル１１０ｘと通信し得る。時間Ｔ３において、ＵＥ１２０ｘは、ＰＣＣを介してセル１１０ｘと通信し得、ＳＣＣを介してピコセル１１０ｙと通信し得る。
【００４０】
[0051]高密度ＨｅｔＮｅｔ中には多くのネットワークノードがあり得る。ＵＥは、ＨｅｔＮｅｔ内の異なるセルのカバレージに急速に出入りし得る。ＵＥが所与の瞬間において最も強いセルへのハンドオーバを実行した場合、ＵＥが高密度ＨｅｔＮｅｔを動き回るとき、ＵＥは頻繁にハンドオーバを実行し得る。各ハンドオーバはシグナリングおよび他のオーバーヘッドに関連し得る。ＵＥが高密度ＨｅｔＮｅｔを動き回るときにＵＥによって実行されるハンドオーバの数を最小限に抑えることが望ましいことがある。
【００４１】
[0052]本開示の別の態様では、ＰＣＣは、ネットワークノード（たとえば、サービングセル）との通信についてＵＥのために維持され得、ＳＣＣは、ＵＥの構成に追加されるか、またはＵＥの構成から除去され得る。ＵＥは、あるネットワークノードから別のネットワークノードへのＰＣＣの変化があるときはいつでもハンドオーバを実行し得る。ＰＣＣを維持しながらＳＣＣを追加および／または除去することによって、ＵＥのためのハンドオーバの数は低減され得る。
【００４２】
[0053]図４Ａに示された例では、ＵＥ１２０ｘは、時間Ｔ１、Ｔ２およびＴ３においてＰＣＣを介してセル１１０ｘと通信し得る。したがって、ＰＣＣは、時間Ｔ１から時間Ｔ３までＵＥ１２０ｘについて同じままであり得る。ＵＥ１２０ｘは、異なる時間においてＳＣＣを介して異なるネットワークノードと通信し得る。特に、ＵＥ１２０ｘは、時間Ｔ１においてＳＣＣを介してリレー１１２ｘと通信し、次いで、時間Ｔ２においてＳＣＣを介してＲＲＨ１１４ｘと通信し、次いで、時間Ｔ３においてＳＣＣを介してピコセル１１０ｙと通信し得る。ＵＥ１２０ｘは、リレー１１２ｘにＳＣＣを追加し、次いで、リレー１１２ｘからＳＣＣを除去し、ＲＲＨ１１４ｘにＳＣＣを追加し、次いで、ＲＲＨ１１４ｘからＳＣＣを除去し、ピコセル１１０ｙにＳＣＣを追加し得る。しかしながら、ＳＣＣが複数回変化しても、ＰＣＣは時間Ｔ１から時間Ｔ３まで変化していないので、ＵＥ１２０ｘはハンドオーバを実行することを回避し得る。
【００４３】
[0054]概して、ＰＣＣとＳＣＣは同じ帯域幅または異なる帯域幅を有し得る。ＰＣＣとＳＣＣは、連続的（たとえば、図３Ａに示したように）、または不連続（たとえば、図３Ｂに示したように）であり得る。
【００４４】
[0055]概して、ＰＣＣおよびＳＣＣを介して任意の情報が送られ得る。１つの設計では、指定された制御情報（たとえば、スケジューリング／許可情報、ＡＣＫ／ＮＡＫフィードバックなど）がＰＣＣ上で送られ得る。別の設計では、特定のタイプのトラフィック／データがＰＣＣ上で送られ得、他のタイプのトラフィック／データがＳＣＣ上で送られ得る。たとえば、ボイストラフィックがＰＣＣ上で送られ、ベストエフォートトラフィックがＳＣＣ上で送られ得る。ＰＣＣとＳＣＣは異なるサービス品質（ＱｏＳ）レベルに関連し得る。この場合、ＰＣＣとＳＣＣは、異なるトラフィック／データタイプのＱｏＳ要件に基づいて異なるタイプのトラフィック／データを搬送するのにより好適であり得る。
【００４５】
[0056]本開示のさらに別の態様では、たとえば、マルチプルなＣＣがアップリンク上で有効にされるかどうか、およびＣＣ上での通信がＲＲＨを介するかまたはリレーを介するかに応じて、アップリンク送信についてソフト合成（soft combining）および／またはＨＡＲＱが有効または無効にされ得る。ソフト合成は、復号より前の、異なるソース（たとえば、異なるネットワークノード、異なるアンテナなど）からのシンボル推定値の合成を指す。シンボル推定値は、送信された変調シンボルの推定値であり得る。ソフト合成は、送信された変調シンボルのためのより多くのエネルギーの蓄積を生じることがあり、それにより復号パフォーマンスが改善され得る。
【００４６】
[0057]図４Ａを参照すると、時間Ｔ２において、ＵＥ１２０ｘは、ＰＣＣ上での第１のアップリンク送信をセル１１０ｘに、およびＳＣＣ上での第２のアップリンク送信をＲＲＨ１１４ｘに同時に送り得る。セル１１０ｘは、セル１１０ｘに向けられた第１のアップリンク送信ならびにＲＲＨ１１４ｘに向けられた第２のアップリンク送信を受信し得る。セル１１０ｘは、ＰＣＣ上で受信された第１のアップリンク送信に基づいて第１のシンボル推定値を導出し、ＳＣＣ上で受信された第２のアップリンク送信に基づいて第２のシンボル推定値を導出し得る。同様に、ＲＲＨ１１４ｘは、ＲＲＨ１１４ｘに向けられた第２のアップリンク送信ならびにセル１１０ｘに向けられた第１のアップリンク送信を受信し得る。ＲＲＨ１１４ｘは、ＳＣＣ上で受信された第２のアップリンク送信に基づいて第３のシンボル推定値を導出し、ＰＣＣ上で受信された第１のアップリンク送信に基づいて第４のシンボル推定値を導出し得る。ＲＲＨ１１４ｘは、バックホール４２６を介して第３および第４のシンボル推定値をセル１１０ｘにフォワーディングし得る。
【００４７】
[0058]セル１１０ｘは、第１のアップリンク送信のためにセル１１０ｘによって決定された第１のシンボル推定値と、第１のアップリンク送信のためにＲＲＨ１１４ｘによって決定された第４のシンボル推定値とを取得し得る。セル１１０ｘは、第１のアップリンク送信について第１の合成シンボル推定値を取得するために、当技術分野で知られている方法で第１のシンボル推定値と第４のシンボル推定値とを合成し得る。セル１１０ｘは、次いで、第１のアップリンク送信においてＵＥ１２０ｘによって送られたデータを復元するために第１の合成シンボル推定値を復号し得る。同様に、セル１１０ｘは、第２のアップリンク送信のためにセル１１０ｘによって決定された第２のシンボル推定値と、第２のアップリンク送信のためにＲＲＨ１１４ｘによって決定された第３のシンボル推定値とを取得し得る。セル１１０ｘは、第２のアップリンク送信についての第２の合成シンボル推定値を取得するために第２のシンボル推定値と第３のシンボル推定値とを合成し得る。セル１１０ｘは、次いで、第２のアップリンク送信においてＵＥ１２０ｘによって送られたデータを復元するために第２の合成シンボル推定値を復号し得る。第１のシンボル推定値と第４のシンボル推定値とのソフト合成は、第１のアップリンク送信においてＵＥ１２０ｘによって送られたデータを正しく復号する可能性を改善し得る。第２のシンボル推定値と第３のシンボル推定値とのソフト合成は、第２のアップリンク送信においてＵＥ１２０ｘによって送られたデータを正しく復号する可能性を改善し得る。
【００４８】
[0059]ＵＥ１２０ｘは、一般に、ＵＥ１２０ｘからのアップリンク送信を受信する各ネットワークノードについてそれの送信タイミングを個別に調整し得る。図４Ａに示された例では、時間Ｔ２において、ＵＥ１２０ｘは、セル１１０ｘからの第１のタイミング調整に基づいてセル１１０ｘへの第１のアップリンク送信のためのそれの送信タイミングを調整し得る。セル１１０ｘは、ＵＥ１２０ｘからの第１のアップリンク送信がセル１１０ｘにおいて適切に時間整合されるように、ＵＥ１２０ｘのための第１のタイミング調整を決定し得る。同様に、ＵＥ１２０ｘは、ＲＲＨ１１４ｘの第２のタイミング調整に基づいてＲＲＨ１１４ｘへの第２のアップリンク送信についてのそれの送信タイミングを調整し得る。ＲＲＨ１１４ｘは、ＵＥ１２０ｘからの第２のアップリンク送信がＲＲＨ１１４ｘにおいて適切に時間整合されるように、ＵＥ１２０ｘのための第２のタイミング調整を決定し得る。
【００４９】
[0060]１つの設計では、マルチプルなネットワークノードへのアップリンク送信のためのＵＥの送信タイミングは、アップリンク上でのソフト合成について良好なパフォーマンスが達成されるように調整され得る。図４Ａに示された例では、セル１１０ｘからの第１のタイミング調整およびＲＲＨ１１４ｘからの第２のタイミング調整は、（ｉ）ＰＣＣ上での第１のアップリンク送信のためにセル１１０ｘおよびＲＲＨ１１４ｘによって決定されたシンボル推定値のソフト合成および／または（ｉｉ）ＳＣＣ上での第２のアップリンク送信のためにセル１１０ｘおよびＲＲＨ１１４ｘによって決定されたシンボル推定値のソフト合成について良好なパフォーマンスが得られるように、ＵＥ１２０ｘについて決定され得る。たとえば、第１のアップリンク送信のためのＵＥ１２０ｘの送信タイミングは、セル１１０ｘからのタイミング調整のみに基づいて調整された場合、ｔ１に設定され得る。第２のアップリンク送信のためのＵＥ１２０ｘの送信タイミングは、ＲＲＨ１１４ｘからのタイミング調整のみに基づいて調整された場合、ｔ２に設定され得る。ｔ１とｔ２との間の差は、様々な理由で比較的大きくなり得る。アップリンク上でのソフト合成のパフォーマンスを改善するために、第１のアップリンク送信のためのＵＥ１２０ｘの送信タイミングはｔ２に向かってスキュー（skew）され得、第２のアップリンク送信のためのＵＥ１２０ｘの送信タイミングはｔ１に向かってスキューされ得る。スキューの量は、ｔ１とｔ２との間の差、セル１１０ｘにおける負荷およびＲＲＨ１１４ｘにおける負荷、セル１１０ｘおよびＲＲＨ１１４ｘにおけるＵＥ１２０ｘの受信電力など、様々なファクタに依存し得る。１つの設計では、スキューの量は、セル１１０ｘおよびＲＲＨ１１４ｘにおける受信されたアップリンク送信の重み付き平均に依存し得る。たとえば、ＵＥ１２０ｘのアップリンクタイミングは、ＵＥ１２０ｘからのアップリンク送信についてより高い受信電力またはより高い受信信号品質を有するネットワークノード（たとえば、セル１１０ｘまたはＲＲＨ１１４ｘ）のためにＵＥ１２０ｘのターゲットアップリンクタイミングに向かってより多くスキューされ得る。
【００５０】
[0061]図４ＡのＨｅｔＮｅｔ４００は、以下の特性のうちの１つまたは複数を有し得る。  
１．ＰＣＣは同じマクロセルまたはピコセルからであり得る、  
２．（１つまたは複数の）ＳＣＣは、ＵＥがＨｅｔＮｅｔ中を移動する際に、異なるネットワークノード（たとえば、リレー、ＲＲＨ、ピコセルなど）からアクティブ化または非アクティブ化され得る、  
ａ．（１つまたは複数の）ＳＳＣは、ダウンリンクとアップリンクの両方またはダウンリンクのみのために使用され得る、  
ｂ．（１つまたは複数の）ＳＳＣは、ＰＣＣと同じまたは異なるセルＩＤを有し得る、  
３．ＰＣＣが同じセルからである限りハンドオーバがトリガされないことによるＵＥに関するシームレスモビリティ、  
４．以下をもつ一般的なスケーラブルアーキテクチャ  
ａ．ＵＥのためのＰＣＣおよび（１つまたは複数の）ＳＣＣの独立した構成、  
ｂ．マルチプルなＳＣＣについてのサポートがマルチプルなセルからＵＥのためにアクティブ化され得る。
【００５１】
[0062]図４Ｂに、キャリアアグリゲーションを用いた例示的なＨｅｔＮｅｔ４０２を示す。ＨｅｔＮｅｔ４０２は、図４ＡのＨｅｔＮｅｔ４００中の、マクロ／ピコセル１１０ｘと、ピコセル１１０ｙと、リレー１１２ｘと、ＲＲＨ１１４ｘとを含む。ＨｅｔＮｅｔ４０２は、ＩＥＥＥ８０２．１１（Ｗｉ−Ｆｉ）、Ｈｉｐｅｒｌａｎなどを実装し得る、アクセスポイント１１６ｘをさらに含む。
【００５２】
[0063]時間Ｔ０において、ＵＥ１２０ｘは、直接リンク４４２を介してセル１１０ｘと通信し、セカンダリリンク４４４を介してアクセスポイント１１６ｘと通信し得る。時間Ｔ０よりもＫ０秒またはＫ０分後であり得る時間Ｔ１において、ＵＥ１２０ｘは、直接リンク４１２を介してセル１１０ｘと通信し、また、セカンダリリンク４２４を介してリレー１１２ｘとも通信し得る。時間Ｔ２において、ＵＥ１２０ｘは、直接リンク４２２を介してセル１１０ｘと通信し、また、セカンダリリンク４２４を介してＲＲＨ１１４ｘとも通信し得る。時間Ｔ３において、ＵＥ１２０ｘは、直接リンク４３２を介してセル１１０ｘと通信し、また、直接リンク４３４を介してセル１１０ｙとも通信し得る。
【００５３】
[0064]図４Ｂに示された例では、２つのＣＣが利用可能であり得、それらは、周波数ｆ１におけるＰＣＣおよび周波数ｆ２におけるＳＣＣを含み得る。セル１１０ｘは、ＵＥ１２０ｘのサービングセルであり得る。時間Ｔ０において、ＵＥ１２０ｘは、周波数ｆ１上でＰＣＣを介してセル１１０ｘと通信し得、無認可ＳＣＣと呼ばれることがある無認可周波数を介してアクセスポイント１１６ｘと通信し得る。無認可周波数は、２．４ＧＨｚのＩＳＭ帯域または何らかの他の帯域にあり得る。図４Ａについて上記で説明したように、ＵＥは、セル１１０ｘ、リレー１１２ｘ、ＲＲＨ１１４ｘ、およびピコセル１１０ｙと通信し得る。
【００５４】
[0065]図４ＢのＨｅｔＮｅｔ４０２は、以下の特性のうちの１つまたは複数を有し得る。  
１．ＰＣＣは同じマクロセルまたはピコセルからであり得る、  
２．（１つまたは複数の）ＳＣＣは、ＵＥがＨｅｔＮｅｔ中を移動する際に、異なるネットワークノード（たとえば、リレー、ＲＲＨ、ピコセル、アクセスポイントなど）からアクティブ化または非アクティブ化され得る、  
ａ．（１つまたは複数の）ＳＳＣはダウンリンクとアップリンクの両方またはダウンリンクのみのために使用され得る、  
ｂ．（１つまたは複数の）ＳＳＣは、ＰＣＣと同じまたは異なるセルＩＤを有し得る、  
ｃ．アクセスポイントとの通信のために無認可スペクトルが使用され得る、  
３．ＰＣＣが同じセルからである限りハンドオーバがトリガされないことによるＵＥに関するシームレスモビリティ、  
４．以下をもつ一般的なスケーラブルアーキテクチャ  
ａ．ＵＥのためのＰＣＣおよび（１つまたは複数の）ＳＣＣの独立構成、  
ｂ．マルチプルなＳＣＣについてのサポートがマルチプルなセルからＵＥのためにアクティブ化され得る。
【００５５】
[0066]概して、ＵＥは、ＰＣＣを介してネットワークノードと、および任意の数のＳＣＣを介して任意の数の追加のネットワークノードと同時に通信し得る。図４Ａに示したように、ＵＥは単一のＳＣＣを介して単一の追加のネットワークノードと通信し得る。ＵＥはまた、マルチプルなＳＣＣを介して単一の追加のネットワークノードと通信し得る。ＵＥはまた、マルチプルなＳＣＣを介してマルチプルな追加のネットワークノードと通信し得る。
【００５６】
[0067]１つの設計では、図４Ａに示したように、ＳＣＣはダウンリンクおよびアップリンクの両方のために使用され得、両矢印が、セカンダリリンク４１４、４２４および４３４について示されている。この設計は、ＣＣ上でＵＥによって送られ、異なるネットワークノードにおいて受信されたアップリンク送信のソフト合成を可能にし得る。たとえば、ＲＲＨ１１４ｘは、ＵＥ１２０ｘによってセル１１０ｘに送られた第１のアップリンク送信についてのシンボル推定値、ならびにＵＥ１２０ｘによってＲＲＨ１１４ｘに送られた第２のアップリンク送信についてのシンボル推定値を送り得る。上記で説明したように、ＲＲＨ１１４ｘによって決定されたシンボル推定値は、ＵＥ１２０ｘからの第１および第２のアップリンク送信のためにセル１１０ｘによって決定されたシンボル推定値と合成され得る。
【００５７】
[0068]別の設計では、ＳＣＣは、ダウンリンクのためだけに使用され、これは補助ダウンリンクと呼ばれることがある。この設計では、ＳＣＣがアップリンク送信のために利用可能でないので、ＰＣＣならびにＳＣＣ上でのデータ送信のための制御情報がＰＣＣ上で送られ得る。たとえば、ＵＥ１２０ｘは、ＰＣＣを介してセル１１０ｘから第１のダウンリンク送信を受信し、ＳＣＣを介してＲＲＨ１１４ｘから第２のダウンリンク送信を受信し得る。ＵＥ１２０ｘは、ＰＣＣ上で第１のダウンリンク送信についてのＡＣＫ／ＮＡＫならびに第２のダウンリンク送信についてのＡＣＫ／ＮＡＫをセル１１０ｘに送り得る。セル１１０ｘは、第２のダウンリンク送信についてのＡＣＫ／ＮＡＫをＲＲＨ１１４ｘにフォワーディングし得る。セル１１０ｘは、セル１１０ｘおよびＲＲＨ１１４ｘからのダウンリンク送信について共通のベースバンド処理を実行し得るので、セル１１０ｘおよびＲＲＨ１１４ｘによるＵＥ１２０ｘへのダウンリンク送信のために同じＨＡＲＱタイムラインが使用され得る。また、ダウンリンクのみのために使用されるＳＣＣは、ブロードキャストトラフィック／データと非肯定応答モード（ＵＭ：unacknowledged mode）トラフィック／データとを搬送する簡略化されたＳＣＣとして動作し得る。ＵＭトラフィック／データは、ＨＡＲＱなし、およびＡＣＫ／ＮＡＫフィードバックなしの、ユニキャストデータを含み得る。ＵＭトラフィック／データの一例は、ボイスオーバーインターネットプロトコル（ＶｏＩＰ）であり得る。
【００５８】
[0069]１つの設計では、異なるネットワークノードのためのＳＣＣおよびＰＣＣは同じセル・アイデンティティ（ＩＤ）に関連付けられ得る。たとえば、図４Ａのセル１１０ｘのためのＰＣＣとＲＲＨ１１４ｘのためのＳＣＣは、同じセルＩＤに関連し得る。この場合、ＲＲＨ１１４ｘは、セル１１０ｘの異なるアンテナのように見えることがある。この設計では、ＰＣＣとＳＣＣの両方の上のダウンリンクサブフレームの制御領域中で制御情報が送られ得る。
【００５９】
[0070]別の設計では、異なるネットワークノードのためのＳＣＣおよびＰＣＣは異なるセルＩＤに関連付けられ得る。たとえば、図４Ａのセル１１０ｘのためのＰＣＣは第１のセルＩＤに関連し、ＲＲＨ１１４ｘのためのＳＣＣは第２のセルＩＤに関連し得る。この場合、ＲＲＨ１１４ｘは、セル１１０ｘとは異なるセルのように見えることある。この設計では、ＰＣＣおよびＳＣＣ上のダウンリンクサブフレームの制御領域中で、異なる制御情報が送られ得る。ダウンリンクのための制御スペースは、ＰＣＣおよびＳＣＣのための異なるセルＩＤの使用によって増加し得る。
【００６０】
[0071]１つの設計では、異なるＣＣ上で異なるネットワークノードによってサービスされるＵＥのために集中型スケジューリングが使用され得る。たとえば、図４Ａにおいて、セル１１０ｘはＰＣＣ上で１つまたは複数のＵＥにサービスし得、ＲＲＨ１１４ｘはＳＣＣ上で１つまたは複数のＵＥにサービスし得る。ＲＲＨ１１４ｘは、セル１１０ｘに関連し得、セル１１０ｘとＲＲＨ１１４ｘの両方についてベースバンド処理を実行し得る。良好な全体的パフォーマンスが達成されるように、中央スケジューラが、セル１１０ｘのみと通信するＵＥと、ＲＲＨ１１４ｘのみと通信するＵＥと、セル１１０ｘおよびＲＲＨ１１４ｘの両方と通信するＵＥとを一緒にスケジュールし得る。全体的パフォーマンスは、スループット、レイテンシなどに関係する様々なメトリックによって定量化され得る。
【００６１】
[0072]別の設計では、異なるＣＣ上で異なるネットワークノードによってサービスされるＵＥのために分散型スケジューリングが使用され得る。たとえば、図４Ａにおいて、セル１１０ｘは１つまたは複数のＵＥにサービスし得、リレー１１２ｘは１つまたは複数のＵＥにサービスし得る。リレー１１２ｘは、それのドナーセルとしてセル１１０ｘを有し得る。セル１１０ｘのためのスケジューラは、良好なパフォーマンスが達成されるように、セル１１０ｘによってサービスされるＵＥをスケジュールし得る。リレー１１２ｘのための別のスケジューラは、良好なパフォーマンスが達成されるように、リレー１１２ｘによってサービスされるＵＥをスケジュールし得る。
【００６２】
[0073]様々な高密度ＨｅｔＮｅｔのためにキャリアアグリゲーションが使用され得る。キャリアアグリゲーションを用いたいくつかの例示的な高密度ＨｅｔＮｅｔを以下に示す。
【００６３】
[0074]図５に、キャリアアグリゲーションを用いた、マクロ／ピコセル１１０ｘとマルチプルなＲＲＨ１１４とを含む例示的なＨｅｔＮｅｔ５００を示す。図５において、セル１１０ｘは、マクロセルまたはピコセルであり得、それのカバレージエリア内のＵＥのための通信をサポートし得る。ＲＲＨ１１４ｘ、１１４ｙおよび１１４ｚは、セル１１０ｘについてのＲＦ送信および受信をサポートし得る。
【００６４】
[0075]時間Ｔ１において、ＵＥ１２０ｘは、直接リンク５１２を介してセル１１０ｘと通信し、また、セカンダリリンク５１４を介してＲＲＨ１１４ｘとも通信し得る。ＲＲＨ１１４ｘは、ワイヤラインバックホール５１６を介してセル１１０ｘと通信し得る。時間Ｔ２において、ＵＥ１２０ｘは、直接リンク５２２を介してセル１１０ｘと通信し、また、セカンダリリンク５２４を介してＲＲＨ１１４ｙとも通信し得る。ＲＲＨ１１４ｙは、ワイヤラインバックホール５２６を介してセル１１０ｘと通信し得る。時間Ｔ３において、ＵＥ１２０ｘは、直接リンク５３２を介してセル１１０ｘと通信し、セカンダリリンク５３４を介してＲＲＨ１１４ｚとも通信し得る。ＲＲＨ１１４ｚは、ワイヤラインバックホール５３６を介してセル１１０ｘと通信し得る。
【００６５】
[0076]異なるネットワークノードは、異なるＣＣを介してＵＥ１２０ｘにサービスし得る。図５に示された例では、２つのＣＣが利用可能であり得、それらは、周波数ｆ１におけるＰＣＣおよび周波数ｆ２におけるＳＣＣを含み得る。時間Ｔ１において、ＵＥ１２０ｘは、周波数ｆ１上のＰＣＣを介してセル１１０ｘと通信し得、周波数ｆ２上のＳＣＣを介してＲＲＨ１１４ｘと通信し得る。時間Ｔ２において、ＵＥ１２０ｘは、ＰＣＣを介してセル１１０ｘと通信し得、ＳＣＣを介してＲＲＨ１１４ｙと通信し得る。時間Ｔ３において、ＵＥ１２０ｘは、ＰＣＣを介してセル１１０ｘと通信し得、ＳＣＣを介してＲＲＨ１１４ｚと通信し得る。
【００６６】
[0077]同じく図５に示すように、ＰＣＣはＵＥ１２０ｘについて同じままであり得、ＳＣＣは、ＵＥ１２０ｘの構成に追加され、またはＵＥ１２０ｘの構成から除去され得る。図５に示された例では、ＵＥ１２０ｘは、時間Ｔ１、Ｔ２およびＴ３においてＰＣＣを介してセル１１０ｘと通信し得る。したがって、ＰＣＣは、時間Ｔ１から時間Ｔ３までＵＥ１２０ｘについて同じままであり得、ＵＥ１２０ｘによってハンドオーバが実行されないことがある。ＵＥ１２０ｘは、異なる時間において、ＳＣＣを介して、ＲＲＨ１１４ｘ、１１４ｙおよび１１４ｚなど、異なるネットワークノードと通信し得る。
【００６７】
[0078]図５のＨｅｔＮｅｔ５００は、以下の特性のうちの１つまたは複数を有し得る。  
１．ＰＣＣは同じマクロセルまたはピコセルからであり得る、  
２．（１つまたは複数の）ＳＣＣは、ＵＥがＨｅｔＮｅｔ中を移動する際に、異なるＲＲＨからアクティブ化または非アクティブ化され得る、  
ａ．（１つまたは複数の）ＳＳＣは、ダウンリンクとアップリンクの両方またはダウンリンクのみのために使用され得る、  
ｂ．（１つまたは複数の）ＳＳＣは、ＰＣＣと同じまたは異なるセルＩＤを有し得る、  
３．ＲＲＨとセルとの間の高速（たとえば、光ファイバー）バックホールが以下を可能にし得る、  
ａ．ＰＣＣおよび（１つまたは複数の）ＳＣＣにわたるダウンリンクのための集中型スケジューリング、  
ｂ．ＰＣＣおよび（１つまたは複数の）ＳＣＣ上でのアップリンク送信のソフト合成、  
ｃ．ＵＥのアップリンクタイミング調整におけるフレキシビリティ、および／または  
ｄ．ＰＣＣおよび（１つまたは複数の）ＳＣＣのための共通のアップリンク、  
４．ＰＣＣが同じセルからである限りハンドオーバがトリガされないことによるＵＥに関するシームレスモビリティ。
【００６８】
[0079]図６に、キャリアアグリゲーションを用いた、マクロ／ピコセル１１０ｘとマルチプルなリレー１１２とを含む例示的なＨｅｔＮｅｔ６００を示す。図６において、セル１１０ｘは、マクロセルまたはピコセルであり得、それのカバレージエリア内のＵＥのための通信をサポートし得る。リレー１１２ｘ、１１２ｙおよび１１２ｚは、セル１１０ｘに結合され得、セル１１０ｘに関する送信を中継し得る。
【００６９】
[0080]時間Ｔ１において、ＵＥ１２０ｘは、直接リンク６１２を介してセル１１０ｘと通信し、また、アクセスリンク６１４を介してリレー１１２ｘとも通信し得る。リレー１１２ｘはバックホールリンク６１６を介してセル１１０ｘと通信し得る。時間Ｔ２において、ＵＥ１２０ｘは、直接リンク６２２を介してセル１１０ｘと通信し、また、アクセスリンク６２４を介してリレー１１２ｙとも通信し得る。リレー１１２ｙは、バックホールリンク６２６を介してセル１１０ｘと通信し得る。時間Ｔ３において、ＵＥ１２０ｘは、直接リンク６３２を介してセル１１０ｘと通信し、アクセスリンク６３４を介してリレー１１２ｚとも通信し得る。リレー１１２ｚは、バックホールリンク６３６を介してセル１１０ｘと通信し得る。
【００７０】
[0081]異なるネットワークノードは、異なるＣＣを介してＵＥ１２０ｘにサービスし得る。図６に示された例では、２つのＣＣが利用可能であり得、それらは、周波数ｆ１におけるＰＣＣおよび周波数ｆ２におけるＳＣＣを含み得る。時間Ｔ１において、ＵＥ１２０ｘは、周波数ｆ１上のＰＣＣを介してセル１１０ｘと通信し得、周波数ｆ２上のＳＣＣを介してリレー１１２ｘと通信し得る。リレー１１２ｘはＰＣＣを介してセル１１０ｘと通信し得る。時間Ｔ２において、ＵＥ１２０ｘは、ＰＣＣを介してセル１１０ｘと通信し得、ＳＣＣを介してリレー１１２ｙと通信し得る。リレー１１２ｙはＰＣＣを介してセル１１０ｘと通信し得る。時間Ｔ３において、ＵＥ１２０ｘは、ＰＣＣを介してセル１１０ｘと通信し得、ＳＣＣを介してリレー１１２ｚと通信し得る。リレー１１２ｚはＰＣＣを介してセル１１０ｘと通信し得る。
【００７１】
[0082]図６に示すように、ＰＣＣはＵＥ１２０ｘについて同じままであり得るが、ＳＣＣは、ＵＥ１２０ｘの構成に追加されるか、またはＵＥ１２０ｘの構成から除去され得る。図６に示された例では、ＵＥ１２０ｘは、時間Ｔ１、Ｔ２およびＴ３においてＰＣＣを介してセル１１０ｘと通信し得る。したがって、ＰＣＣは、時間Ｔ１から時間Ｔ３までＵＥ１２０ｘについて同じままであり得、ＵＥ１２０ｘによってハンドオーバが実行されないことがある。ＵＥ１２０ｘは、異なる時間においてＳＣＣを介して、リレー１１２ｘ、１１２ｙおよび１１２ｚなど、異なるネットワークノードと通信し得る。
【００７２】
[0083]図６のＨｅｔＮｅｔ６００は以下の特性のうちの１つまたは複数を有し得る。  
１．ＰＣＣは同じマクロセルまたはピコセルからであり得る、  
２．（１つまたは複数の）ＳＣＣは、ＵＥがＨｅｔＮｅｔ中を移動する際に、異なるリレーからアクティブ化または非アクティブ化され得る、  
ａ．（１つまたは複数の）ＳＳＣは、ダウンリンクとアップリンクの両方またはダウンリンクのみのために使用され得る、  
ｂ．（１つまたは複数の）ＳＳＣは、ＰＣＣのセルＩＤとは異なるセルＩＤを有し得る、  
３．リレーとセルとの間のワイヤレスバックホールが以下を可能にし得る、  
ａ．ＰＣＣおよび（１つまたは複数の）ＳＣＣにわたるダウンリンクのための分散型スケジューリング、  
ｂ．ＰＣＣおよび（１つまたは複数の）ＳＣＣのための共通のアップリンク、および／または  
ｃ．ＵＥのアップリンクタイミング調整におけるフレキシビリティ、  
４．ＰＣＣおよび（１つまたは複数の）ＳＳＣはＵＥのために独立して構成され得る、  
５．ＰＣＣが同じセルからである限りハンドオーバがトリガされないことによるＵＥに関するシームレスモビリティ、  
ａ．ドナーセルが、ＰＣＣ上で送信し、バックホール上でリレーにサービスする場合、より単純になる。
【００７３】
[0084]ＵＥ１２０ｘがＰＣＣを介したセル１１０ｘへの接続を維持する限り、ＳＣＣを介した通信が、時間Ｔ１〜Ｔ３からのリレー１１２ｘ、１１２ｙ、および１１２ｚなど、様々な追加のネットワークノードからシフトするとき、ＵＥ１２０ｘのためのハンドオーバはトリガされない。この特徴は、ＳＣＣ通信を介したキャリアアグリゲーションの有益な特徴を維持しながら、ハンドオーバプロシージャに起因する追加のオーバーヘッドを低減する。
【００７４】
[0085]追加の態様では、ＵＥ１２０ｘはＳＣＣを介してリレー１１２ｘ、１１２ｙ、および１１２ｚと通信するので、リレー１１２ｘ、１１２ｙ、および１１２ｚは、非ファイバー通信リンクなど、非標準バックホール６１６、６２６、および６３６を使用してセル１１０ｘと通信する。リレー１１２ｘ、１１２ｙ、および１１２ｚを介したＳＣＣ通信は、次いで、セル１１０ｘを通じて協調され得る。
【００７５】
[0086]図７に、本開示のマルチプルなＣＣ上で通信するための一態様を実装するために実行される例示的なブロックを示す。例示的な態様は、（以下で説明するように）ＵＥによって、または何らかの他のエンティティによって実行され得る。ＵＥは、第１の時間において、ＰＣＣを介して第１のネットワークノードと通信し、ＳＣＣを介して第２のネットワークノードと通信する（ブロック７００）。ＰＣＣは、ＵＥのための指定された制御情報ならびに場合によってはデータおよび／または他の情報を搬送し得る。ＳＣＣは、ＵＥのためのデータおよび／または他の情報を搬送し得る。１つの設計では、ＰＣＣおよびＳＣＣは、ＵＥについて独立して構成され得る。第１のネットワークノードはＵＥのサービングセルを含み得る。第２のネットワークノードは、ピコセル、リレー、リモートラジオヘッド、または何らかの他のネットワークエンティティを含み得る。たとえば、図４Ｂに示したように、第２のネットワークノードはまたアクセスポイントを含み、ＳＣＣは無認可帯域内にあり得る。
【００７６】
[0087]ＵＥは、第２の時間においてＳＣＣを介した第３のネットワークノードとの通信を確立する（ブロック７０１）。ＵＥは、第３のネットワークノードとの通信を確立する間、ＵＥにおいてハンドオーバをトリガすることなしに、ＰＣＣを介した第１のネットワークノードとの通信を維持する（ブロック７０２）。したがって、ＵＥは、ハンドオーバの追加されたオーバーヘッドなしに、ＳＣＣ上で第２のネットワークノードから第３のネットワークノードへ通信を切り替え得る。
【００７７】
[0088]ブロック７００および７０１の１つの設計では、ＵＥは、ＰＣＣを介して第１のネットワークノードにデータを送り、ＰＣＣを介して第１のネットワークノードからデータを受信し得る。ＵＥはまた、ＳＣＣを介して第２のネットワークノードにデータを送り、ＳＣＣを介して第２のネットワークノードからデータを受信し得る。この設計では、ＳＣＣは、ＵＥのための補助ダウンリンクおよび補助アップリンクの役割を果たし得る。ブロック７００および７０１の別の設計では、ＵＥは、ＰＣＣを介して第１のネットワークノードにデータを送り、ＰＣＣを介して第１のネットワークノードからデータを受信し得る。しかしながら、ＵＥは、ＳＣＣを介して第２のネットワークノードからデータを受信するだけであり得る。この設計では、ＳＣＣはＵＥのための補助ダウンリンクの役割を果たし得る。
【００７８】
[0089]ＵＥは、ＰＣＣおよびＳＣＣ上でのデータ送信についての少なくとも１つの許可を受信し得る。１つの設計では、ＵＥのための第１および第２のＣＣ上でのデータ送信のスケジューリングは集中型であり得る。別の設計では、ＵＥのためのＰＣＣおよびＳＣＣ上でのデータ送信のスケジューリングは分散型であり得る。
【００７９】
[0090]ＰＣＣおよびＳＣＣは、様々な方法でデータ送信のために使用され得る。概して、任意のタイプのトラフィック／データが、各ＣＣ上で送られ得、データは、各ＣＣ上でＨＡＲＱを用いてまたは用いずに送られ得る。１つの設計では、各タイプのトラフィックは各ＣＣ上で送られ得る。別の設計では、異なるタイプのトラフィックはＰＣＣおよびＳＣＣ上で送られ得る。たとえば、ＰＣＣはトラフィックキャリアを搬送し得、ＳＣＣはブロードキャストデータを搬送し得る。１つの設計では、ＨＡＲＱは各ＣＣのために使用され得る。別の設計では、ＨＡＲＱは、１つのＣＣのために使用され、他のＣＣのためには使用されない。たとえば、データは、ＰＣＣ上でＨＡＲＱを用いて送られ、ＳＣＣ上でＨＡＲＱを用いずに送られ得る。
【００８０】
[0091]図８に、本開示のマルチプルなＣＣ上で通信する一態様を実装するために実行される例示的なブロックを示す。例示的な態様は、（以下で説明するように）ＵＥによって、または何らかの他のエンティティによって実行され得る。ＵＥは、第１の時間において、ＰＣＣを介して第１のネットワークノードと通信し、ＳＣＣを介して第２のネットワークノードと通信する（ブロック８００）。ＰＣＣは、第１の時間期間全体の間、ＵＥのために維持され得る。ＵＥは、第１の時間において、少なくとも１つの追加のＳＣＣを介して少なくとも１つの追加のネットワークノードと通信し、追加のＳＣＣの各々が、第１の時間中にＵＥの構成に追加され、またはＵＥの構成から除去される（ブロック８０１）。１つの設計では、ＰＣＣおよび（１つまたは複数の）追加のＳＣＣは、ＵＥのために独立して構成され得る。第１のネットワークノードはＵＥのサービングセルを含み得る。（１つまたは複数の）追加のネットワークノードは、ピコセル、リレー、リモートラジオヘッド、および／または他のネットワークエンティティを含み得る。たとえば、図４Ｂに示したように、（１つまたは複数の）追加のネットワークノードは、また、アクセスポイントを含み、（１つまたは複数の）追加のＳＣＣは、無認可帯域内にＣＣを含み得る。
【００８１】
[0092]ＵＥは、第１の時間期間中に、ＵＥの構成に第２のネットワークノードのためのＳＣＣを追加し得る。代替または追加として、ＵＥは、第１の時間期間中にＵＥの構成から第２のネットワークノードのためのＳＣＣを除去し得る。少なくとも１つの追加のＳＣＣはそのＳＣＣを含み、少なくとも１つの追加のネットワークノードは第２のネットワークノードを含み得る。ＵＥがＰＣＣ上で第１のネットワークノードと通信している間、ＵＥは第１の時間期間中にハンドオーバを実行しないことがある。
【００８２】
[0093]ＵＥは、第２の時間においてＳＣＣを介した第３のネットワークノードとの通信を確立する（ブロック８０２）。ＵＥは、第２の時間において第３のネットワークノードとの通信を確立する間、やはりＵＥにおけるハンドオーバをトリガすることなしに、ＰＣＣを介した第１のネットワークノードとの通信を維持する（ブロック８０３）。ＰＣＣは、ＵＥのための指定された制御情報および／または第１のタイプのデータ（たとえば、ボイストラフィックなど）を搬送し得る。（１つまたは複数の）ＳＣＣは、ＵＥのための第２のタイプのデータ（たとえば、ベストエフォートトラフィック、ブロードキャストトラフィックなど）および／または他の情報を搬送し得る。
【００８３】
[0094]ブロック８００〜８０２の１つの設計では、ＵＥは、ＰＣＣを介して第１のネットワークノードにデータを送り、ＰＣＣを介して第１のネットワークノードからデータを受信し得る。ＵＥはまた、（１つまたは複数の）追加のＳＣＣを介して（１つまたは複数の）追加のネットワークノードにデータを送り、（１つまたは複数の）追加のＳＣＣを介して（１つまたは複数の）追加のネットワークノードからデータを受信し得る。この設計では、（１つまたは複数の）追加のＳＣＣは、ＵＥのための補助ダウンリンクおよび補助アップリンクの役割を果たし得る。ブロック８００〜８０２の別の設計では、ＵＥは、ＰＣＣを介して第１のネットワークノードにデータを送り、ＰＣＣを介して第１のネットワークノードからデータを受信し得る。しかしながら、ＵＥは、（１つまたは複数の）追加のＳＣＣを介して（１つまたは複数の）追加のネットワークノードからデータを受信するだけであり得る。この設計では、（１つまたは複数の）追加のＳＣＣは、ＵＥのための補助ダウンリンクの役割を果たし得る。
【００８４】
[0095]ＵＥは、ＰＣＣ上でのデータ送信についての第１の許可を受信し得る。ＵＥは、（１つまたは複数の）追加のＳＣＣ上でのデータ送信についての少なくとも１つの追加の許可を受信し得る。１つの設計では、ＵＥのためのＰＣＣおよび（１つまたは複数の）追加のＳＣＣ上でのデータ送信のスケジューリングは分散型であり得る。別の設計では、ＵＥのためのＰＣＣおよび（１つまたは複数の）追加のＳＣＣ上でのデータ送信のスケジューリングは集中型であり得る。
【００８５】
[0096]図９に、本開示のマルチプルなＣＣ上での通信をサポートするための一態様を実装するために実行される例示的なブロックを示す。例示的な態様は、（以下で説明するように）ネットワークノードによって、または何らかの他のエンティティによって実行され得る。ＵＥが、第１の時間において第１のネットワークノードとの通信のためにＰＣＣを用いて、第２のネットワークノードとの通信のためにＳＣＣを用いて構成される（ブロック９００）。ＵＥは、第１の時間の後の第２の時間において第３のネットワークノードとの通信のためにＳＣＣを用いて構成される（ブロック９０１）。ＵＥは、また、第３のネットワークノードとの通信のためにＵＥを構成する間、ＰＣＣを介して第１のネットワークノードとの通信を維持するように構成され、ここで、ＵＥがＰＣＣを介して第１のネットワークノードと通信している間、ＵＥについてハンドオーバは実行されない（ブロック９０２）。
【００８６】
[0097]１つの設計では、ＰＣＣおよびＳＣＣはＵＥのために独立して構成され得る。第１のネットワークノードはＵＥのサービングセルを含み得る。第２のネットワークノードは、ピコセル、リレー、またはリモートラジオヘッドを含み得る。別の設計では、ＰＣＣおよびＳＣＣ上でのデータ送信についてＵＥに許可が送られ得る。別の設計では、ＰＣＣ上でのデータ送信についての第１の許可がＵＥに送られ得、ＳＣＣ上でのデータ送信についての第２の許可がＵＥに送られ得る。１つの設計では、ＵＥは、集中型スケジューリングを用いてＰＣＣおよびＳＣＣ上でのデータ送信のためにスケジュールされ得る。別の設計では、ＵＥは、分散型スケジューリングを用いてＰＣＣおよびＳＣＣ上でのデータ送信のためにスケジュールされ得る。ＰＣＣは、ＵＥのための指定された制御情報および／または第１のタイプのデータを搬送し得る。ＳＣＣはＵＥのための第２のタイプのデータおよび／または他の情報を搬送し得る。
【００８７】
[0098]１つの設計では、ＳＣＣは、ＵＥのための補助ダウンリンクおよび補助アップリンクの役割を果たし得る。この設計では、ＵＥは、（ｉ）ＰＣＣを介して第１のネットワークノードにデータを送り、ＰＣＣを介して第１のネットワークノードからデータを受信し、（ｉｉ）ＳＣＣを介して第２のネットワークノードにデータを送り、ＳＣＣを介して第２のネットワークノードからデータを受信し得る。別の設計では、ＳＣＣはＵＥのための補助ダウンリンクの役割を果たし得る。この設計では、ＵＥは、（ｉ）第１のＣＣを介して第１のネットワークノードにデータを送り、第１のＣＣを介して第１のネットワークノードからデータを受信し、（ｉｉ）ＳＣＣを介して第２のネットワークノードからデータを受信するだけであり得る。
【００８８】
[0099]ＰＣＣおよびＳＣＣは、様々な方法でデータ送信のために使用され得る。概して、任意のタイプのトラフィック／データが、各ＣＣ上で送られ得、データは、各ＣＣ上でＨＡＲＱを用いてまたは用いずに送られ得る。１つの設計では、各タイプのトラフィックは各ＣＣ上で送られ得る。別の設計では、異なるタイプのトラフィックはＰＣＣおよびＳＣＣ上で送られ得る。たとえば、ＰＣＣはトラフィックキャリアを搬送し得、ＳＣＣはブロードキャストデータを搬送し得る。１つの設計では、ＨＡＲＱは各ＣＣのために使用され得る。別の設計では、ＨＡＲＱは、１つのＣＣのために使用され、他のＣＣのためには使用されないことがある。たとえば、データは、ＰＣＣ上でＨＡＲＱを用いて送られ、ＳＣＣ上でＨＡＲＱを用いずに送られ得る。
【００８９】
[00100]図１０に、通信をサポートするためのプロセス１０００の一設計を示す。プロセス１０００は、ＵＥのサービングセルまたは何らかの他のエンティティであり得る、第１のネットワークノードによって実行され得る。第１のネットワークノードは、第１のＣＣ上でＵＥから第１のネットワークノードに送られた第１のアップリンク送信についての第１のシンボル推定値を取得する（ブロック１０１２）。第１のネットワークノードはまた、第１のネットワークノードに送られた第１のアップリンク送信をも受信し得る第２のネットワークノードから第１のアップリンク送信についての第２のシンボル推定値を取得する（ブロック１０１４）。第２のネットワークノードは、別のセル、リレー、リモートラジオヘッドなどを含み得る。第１のＵＥは、第１のＣＣ上で第１のネットワークノードと、そしてまた第２のＣＣ上で第２のネットワークノードと同時に通信し得る。第１のネットワークノードは、第１のアップリンク送信についての第１の合成シンボル推定値を得るために第１のシンボル推定値と第２のシンボル推定値とを合成する（ブロック１０１６）。第１のネットワークノードは、ＵＥによって第１のアップリンク送信において送られたデータを復元するために第１の合成シンボル推定値を復号する（ブロック１０１８）。
【００９０】
[00101]第１のネットワークノードは、第２のＣＣ上でＵＥから第２のネットワークノードに送られ、第１のネットワークノードによって受信された、第２のアップリンク送信についての第３のシンボル推定値を取得する（ブロック１０２０）。第１のネットワークノードはまた、第２のアップリンク送信の予定の受信側であり得る第２のネットワークノードから第２のアップリンク送信についての第４のシンボル推定値を取得する（ブロック１０２２）。第１のネットワークノードは、第２のアップリンク送信についての第２の合成シンボル推定値を取得するために第３のシンボル推定値と第４のシンボル推定値とを合成する（ブロック１０２４）。第１のネットワークノードは、ＵＥによって第２のアップリンク送信において送られたデータを復元するために第２の合成シンボル推定値を復号する（ブロック１０２６）。
【００９１】
[00102]たとえば、第１のネットワークノードによってＵＥに送られたタイミング調整を介して、第１のアップリンク送信についてのＵＥの第１の送信タイミングが調整され得る。たとえば、第２のネットワークノードによってＵＥに送られたタイミング調整を介して、第２のアップリンク送信についてのＵＥの第２の送信タイミングも調整され得る。１つの設計では、ＵＥの第１の送信タイミングおよび第２の送信タイミングは、アップリンクソフト合成のパフォーマンスを改善するように、たとえば、ＵＥによって送られたアップリンク送信について第１および第２のネットワークノードによって決定されたシンボル推定値から取得された合成シンボル推定値の復号のパフォーマンスを改善するように調整され得る。
【００９２】
[00103]図１１に、ネットワークノード１１０ｕおよびＵＥ１２０ｕの一設計のブロック図を示す。ネットワークノード１１０ｕは、図１のｅＮＢのうちの１つであり得、および／または図４〜図６のセル１１０ｘであり得る。ＵＥ１２０ｕは、図１のＵＥのうちの１つおよび／または図４〜図６のＵＥ１２０ｘであり得る。
【００９３】
[00104]ネットワークノード１１０ｕ内で、モジュール１１１０は、ＵＥ１２０ｕおよび／または他のＵＥの構成を決定し得る、たとえば、どのＣＣがＵＥ１２０ｕのために構成されるか、どのネットワークノードが構成された各ＣＣ上でＵＥ１２０ｕと通信しているかを決定し得る。モジュール１１１２は、ダウンリンクおよびアップリンク上でのデータ送信のためにＵＥ１２０ｕおよび他のＵＥをスケジュールし得る。モジュール１１１４はＵＥ１２０ｕの送信タイミングを調整し得る。モジュール１１１６は、ＰＣＣ上でのＵＥ１２０ｕおよび／または他のＵＥとの通信をサポートし得る、たとえば、ＰＣＣ上でのＵＥへのデータ送信とＵＥからのデータ受信とをサポートし得る。モジュール１１１８は、１つまたは複数のＳＣＣ上でのＵＥ１２０ｕおよび／または他のＵＥとの通信をサポートし得る。モジュール１１２０は、ＵＥ１２０ｕおよび／または他のＵＥによって送られたアップリンク送信についてソフト合成を実行し得る。これらのアップリンク送信は、ネットワークノード１１０ｕおよび／または他のネットワークノードに向けられ得る。送信機１１２２は、ＰＣＣおよび／または（１つまたは複数の）ＳＣＣのための１つまたは複数のダウンリンク信号を生成し得る。受信機１１１６は、ＰＣＣおよび／または（１つまたは複数の）ＳＣＣ上でＵＥ１２０ｕおよび／または他のＵＥによって送信されたアップリンク信号を受信し、処理し得る。コントローラ／プロセッサ１１２６は、ネットワークノード１１０ｕ内の様々なモジュールの動作を指示し得る。メモリ１１２８は、ネットワークノード１１０ｕのためのデータおよびプログラムコードを記憶し得る。
【００９４】
[00105]ＵＥ１２０ｕ内で、受信機１１５０は、ネットワークノード１１０ｕおよび／または他のネットワークノードからのダウンリンク信号を受信し、処理し得る。送信機１１６０は、ネットワークノード１１０ｕおよび／または他のネットワークノードに向けられたアップリンク送信を備える１つまたは複数のアップリンク信号を生成し得る。モジュール１１５８は、ＵＥ１２０ｕの構成を決定し得る、たとえば、どのＣＣがＵＥ１２０ｕのために構成されるか、構成された各ＣＣ上でどのネットワークノードと通信すべきであるかを決定し得る。モジュール１１６０は、ダウンリンクおよびアップリンク上でのデータ送信のためにＵＥ１２０ｕをスケジュールする許可を受信し得る。モジュール１１６２は、構成された各ＣＣおよび／またはＵＥ１２０ｕが通信している各ネットワークノードについてＵＥ１２０ｕの送信タイミングを調整し得る。モジュール１１５４は、ＰＣＣ上でのＵＥ１２０ｕのための通信をサポートし、たとえば、ネットワークノードへのデータ送信とネットワークノードからのデータ受信とをサポートし得る。モジュール１１５６は、１つまたは複数のＳＣＣ上でのＵＥ１２０ｕのための通信をサポートし得る。コントローラ／プロセッサ１１６４は、ＵＥ１２０ｕ内の様々なモジュールの動作を指示し得る。メモリ１１６６は、ＵＥ１２０ｕのためのデータとプログラムコードとを記憶し得る。
【００９５】
[00106]図１１のモジュールは、プロセッサ、電子デバイス、ハードウェアデバイス、電子的コンポーネント、論理回路、メモリ、ソフトウェアコード、ファームウェアコードなど、またはそれらの任意の組合せを含み得る。
【００９６】
[00107]図１２に、ネットワークノード１１０ｖおよびＵＥ１２０ｖの一設計のブロック図を示す。ネットワークノード１１０ｖは、図１のｅＮＢのうちの１つであり得、および／または図４〜図６のセル１１０ｘのためのものであり得る。ＵＥ１２０ｖは、図１のＵＥのうちの１つおよび／または図４〜図６のＵＥ１２０ｘであり得る。ネットワークノード１１０ｖはＴ個のアンテナ１２３４ａ〜１２３４ｔを備え、ＵＥ１２０ｖはＲ個のアンテナ１２５２ａ〜１２５２ｒを備え、一般にＴ≧１およびＲ≧１である。
【００９７】
[00108]ネットワークノード１１０ｖにおいて、送信プロセッサ１２２０は、データソース１２１２から１つまたは複数のＵＥのデータを受信し、そのＵＥについて選択された１つまたは複数の変調およびコーディング方式に基づいて各ＵＥのデータを処理（たとえば、符号化および変調）し、すべてのＵＥのデータシンボルを与え得る。送信プロセッサ１２２０はまた、（たとえば、構成メッセージ、許可などについての）制御情報を処理し、制御シンボルを与え得る。プロセッサ１２２０はまた、基準信号のための基準シンボルを生成し得る。送信（ＴＸ）多入力多出力（ＭＩＭＯ）プロセッサ１２３０は、（適用可能な場合は）データシンボル、制御シンボル、および／または基準シンボルをプリコードし得、Ｔ個の出力シンボルストリームをＴ個の変調器（ＭＯＤ）１２３２ａ〜１２３２ｔに与え得る。各変調器１２３２は、（たとえば、ＯＦＤＭなどのために）それの出力シンボルストリームを処理して、出力サンプルストリームを取得し得る。各変調器１２３２はさらに、それの出力サンプルストリームを調整（たとえば、アナログへの変換、増幅、フィルタ処理、およびアップコンバート）して、ダウンリンク信号を取得し得る。各変調器１２３２からのダウンリンク信号は、ダウンリンク上でのデータ送信のためにスケジュールされた各ＵＥのために構成された１つまたは複数のＣＣ上で送られたデータと制御情報とを含み得る。変調器１２３２ａ〜１２３２ｔからのＴ個のダウンリンク信号は、それぞれＴ個のアンテナ１２３４ａ〜１２３４ｔを介して送信され得る。
【００９８】
[00109]ＵＥ１２０ｖにおいて、アンテナ１２５２ａ〜１２５２ｒは、ネットワークノード１１０ｖおよび／または他のネットワークノードからダウンリンク信号を受信し得、受信信号をそれぞれ復調器（ＤＥＭＯＤ）１２５４ａ〜１２５４ｒに与え得る。各復調器１２５４は、それの受信信号を調整（たとえば、フィルタ処理、増幅、ダウンコンバート、およびデジタル化）して、入力サンプルを取得し得る。各復調器１２５４はさらに、（たとえば、ＯＦＤＭなどのために）入力サンプルを処理して、受信シンボルを取得し得る。ＭＩＭＯ検出器１２５６は、すべてのＲ個の復調器１２５４ａ〜１２５４ｒから受信シンボルを取得し、ＭＩＭＯ検出を実行し、検出シンボルを与え得る。受信プロセッサ１２５８は、検出されたシンボルを処理（たとえば、復調および復号）し、ＵＥ１２０ｖについての復号されたデータをデータシンク１２６０に与え、復号された制御情報をコントローラ／プロセッサ１２８０に与え得る。
【００９９】
[00110]ＵＥ１２０ｖにおいて、送信プロセッサ１２６４は、データソース１２６２からのデータを受信し、処理し、コントローラ／プロセッサ１２８０からの制御情報を受信し、処理し得る。プロセッサ１２６４はまた、１つまたは複数の基準信号のための基準シンボルを生成し得る。送信プロセッサ１２６４からのシンボルは、適用可能な場合はＴＸ  ＭＩＭＯプロセッサ１２６６によってプリコードされ、さらに（たとえば、ＳＣ−ＦＤＭ、ＯＦＤＭなどのために）変調器１２５４ａ〜１２５４ｒによって処理され、送信され得る。各変調器１２５４からのアップリンク信号は、ＵＥ１１０ｖのために構成された１つまたは複数のＣＣ上で送られたデータと制御情報とを含み得る。
【０１００】
[00111]ネットワークノード１１０ｖにおいて、ＵＥ１２０ｖおよび他のＵＥからのアップリンク信号は、アンテナ１２３４によって受信され、復調器１２３２によって処理され、適用可能な場合はＭＩＭＯ検出器１２３６によって検出され、さらに、ＵＥ１２０ｖおよび他のＵＥによって送られた、復号されたデータと制御情報とを取得するために、受信プロセッサ１２３８によって処理され得る。プロセッサ１２３８は、ＵＥ１２０ｖによって送られ、ネットワークノード１１０ｖを含む複数のネットワークノードによって受信されたアップリンク送信についてのソフト合成を実行し得る。プロセッサ１２３８は、復号されたデータをデータシンク１２３９に与え、復号された制御情報をコントローラ／プロセッサ１２４０に与え得る。
【０１０１】
[00112]コントローラ／プロセッサ１２４０および１２８０は、それぞれネットワークノード１１０ｖおよびＵＥ１２０ｖにおける動作を指示し得る。ネットワークノード１１０ｖにおけるプロセッサ１２４０および／または他のプロセッサおよびモジュールは、図９のプロセス９００、図１０のプロセス１０００、および／または本明細書で説明する技法のための他のプロセスを実行または指示し得る。ＵＥ１２０ｖにおけるプロセッサ１２８０および／または他のプロセッサおよびモジュールは、図７のプロセス７００、図８のプロセス８００、および／または本明細書で説明する技法のための他のプロセスを実行または指示し得る。メモリ１２４２および１２８２は、それぞれネットワークノード１１０ｖおよびＵＥ１２０ｖのためのデータとプログラムコードとを記憶し得る。スケジューラ１２４４は、データ送信のためにＵＥをスケジュールし得る。
【０１０２】
[00113]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０３】
[00114]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１０４】
[00115]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０５】
[00116]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１０６】
[00117]１つまたは複数の例示的な設計では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１０７】
[00118]本開示についての以上の説明は、当業者が本開示を作成または使用することができるように与えたものである。本開示に対する様々な修正は当業者には容易に明らかであり、本明細書で定義した一般原理は、本開示の趣旨または範囲から逸脱することなく他の変形形態に適用され得る。したがって、本開示は、本明細書で説明した例および設計だけに限定されるものではなく、本明細書で開示した原理および新規の特徴に合致する最も広い範囲を与えられるべきである。
【図１】
2015517276.tif 000003
【図２】
2015517276.tif 000004
【図３Ａ】
2015517276.tif 000005
【図３Ｂ】
2015517276.tif 000006
【図４Ａ】
2015517276.tif 000007
【図４Ｂ】
2015517276.tif 000008
【図５】
2015517276.tif 000009
【図６】
2015517276.tif 000010
【図７】
2015517276.tif 000011
【図８】
2015517276.tif 000012
【図９】
2015517276.tif 000013
【図１０】
2015517276.tif 000014
【図１１】
2015517276.tif 000015
【図１２】
2015517276.tif 000016
【国際調査報告】
2015517276.tif 000017
2015517276.tif 000018
2015517276.tif 000019
2015517276.tif 000020
2015517276.tif 000021